(57)【要約】送信デバイスを動作させるための方法は、第１の遠隔デバイス（ＲＤ）に関連付けられた第１のパケットデータコンバージェンスプロトコル（ＰＤＣＰ）プロトコルデータユニット（ＰＤＵ）を受信するステップであって、第１のＰＤＣＰ  ＰＤＵは少なくとも第１のＰＤＣＰヘッダを含む、ステップと、第１のＰＤＣＰ  ＰＤＵに従って第１のネスト化されたＰＤＣＰ  ＰＤＵを生成するステップであって、第１のネスト化されたＰＤＣＰ  ＰＤＵは、第２のＰＤＣＰヘッダと第１のＰＤＣＰ  ＰＤＵとを含み、第２のＰＤＣＰヘッダは、第１のネスト化されたＰＤＣＰ  ＰＤＵが第１の中継されたＰＤＣＰ  ＰＤＵと第１のＲＤに関連付けられた第１の識別子とを含むことを示す第１のＰＤＵタイプインジケータを含む、ステップと、無線ベアラ上で第１のネスト化されたＰＤＣＰ  ＰＤＵを送信するステップとを含む。
2019517751.tif 000002
【特許請求の範囲】
【請求項１】
送信デバイスを動作させるための方法であって、
前記送信デバイスによって、第１の遠隔デバイス（ＲＤ）に関連付けられた第１のパケットデータコンバージェンスプロトコル（ＰＤＣＰ）プロトコルデータユニット（ＰＤＵ）を受信するステップであり、前記第１のＰＤＣＰ  ＰＤＵは少なくとも第１のＰＤＣＰヘッダを含む、ステップと、
前記送信デバイスによって、前記第１のＰＤＣＰ  ＰＤＵに従って第１のネスト化されたＰＤＣＰ  ＰＤＵを生成するステップであり、前記第１のネスト化されたＰＤＣＰ  ＰＤＵは、第２のＰＤＣＰヘッダと前記第１のＰＤＣＰ  ＰＤＵとを含み、前記第２のＰＤＣＰヘッダは、前記第１のネスト化されたＰＤＣＰ  ＰＤＵが第１の中継されたＰＤＣＰ  ＰＤＵと前記第１のＲＤに関連付けられた第１の識別子とを含むことを示す第１のＰＤＵタイプインジケータを含む、ステップと、
前記送信デバイスによって、無線ベアラ上で前記第１のネスト化されたＰＤＣＰ  ＰＤＵを送信するステップと
を含む方法。
【請求項２】
前記送信デバイスによって、第２のＰＤＣＰ  ＰＤＵを受信するステップであって、前記第２のＰＤＣＰ  ＰＤＵは少なくとも第３のＰＤＣＰヘッダを含む、ステップと、
前記送信デバイスによって、前記第２のＰＤＣＰ  ＰＤＵに従って第２のネスト化されたＰＤＣＰ  ＰＤＵを生成するステップと、
前記送信デバイスによって、前記第２のネスト化されたＰＤＣＰ  ＰＤＵを前記第１のネスト化されたＰＤＣＰ  ＰＤＵと一緒に前記無線ベアラ上で送信するステップと
をさらに含む、請求項１に記載の方法。
【請求項３】
前記第２のネスト化されたＰＤＣＰ  ＰＤＵを前記第１のネスト化されたＰＤＣＰ  ＰＤＵと一緒に送信するステップは、
前記送信デバイスによって、前記第１のネスト化されたＰＤＣＰ  ＰＤＵおよび前記第２のＰＤＣＰ  ＰＤＵを集約するステップと、
前記送信デバイスによって、前記集約された第１および第２のネスト化されたＰＤＣＰ  ＰＤＵを前記無線ベアラ上で送信するステップと
を含む、請求項２に記載の方法。
【請求項４】
前記第２のＰＤＣＰ  ＰＤＵは第２のＲＤから受信され、前記第２のネスト化されたＰＤＣＰ  ＰＤＵは、第４のＰＤＣＰヘッダと前記第２のＰＤＣＰ  ＰＤＵとを含み、前記第４のＰＤＣＰヘッダは、前記第２のネスト化されたＰＤＣＰ  ＰＤＵが第２の中継されたＰＤＣＰ  ＰＤＵと前記第２のＲＤに関連付けられた第２の識別子とを含むことを示す第２のＰＤＵタイプインジケータを含む、請求項２に記載の方法。
【請求項５】
前記第１のＲＤと前記第２のＲＤは同一である、請求項４に記載の方法。
【請求項６】
前記無線ベアラはデータ無線ベアラ（ＤＲＢ）である、請求項１に記載の方法。
【請求項７】
前記第１のＰＤＣＰ  ＰＤＵは制御プレーントラフィックを含み、前記第１のＰＤＣＰヘッダは、前記第１のネスト化されたＰＤＣＰ  ＰＤＵを送信するために使用されるＳＲＢを識別するシグナリング無線ベアラ（ＳＲＢ）インジケータを含む、請求項１に記載の方法。
【請求項８】
前記無線ベアラはシグナリング無線ベアラ（ＳＲＢ）であって、前記第１のＰＤＣＰヘッダは、前記第１のＰＤＣＰ  ＰＤＵが制御プレーントラフィックを含むことを示す第１の転送インジケータを含み、前記第２のＰＤＣＰヘッダは、前記第１のネスト化されたＰＤＣＰ  ＰＤＵが中継されたコントロールプレーントラフィックを含むことを示す第２の転送インジケータを含む、請求項１に記載の方法。
【請求項９】
受信デバイスを動作させるための方法であって、
前記受信デバイスによって、無線ベアラ上の第１の遠隔デバイス（ＲＤ）に関連付けられた第１のネスト化されたパケットデータコンバージェンスプロトコル（ＰＤＣＰ）プロトコルデータユニット（ＰＤＵ）を受信するステップであって、前記第１のネスト化されたＰＤＣＰ  ＰＤＵは、第１のＰＤＣＰヘッダと第１のＰＤＣＰ  ＰＤＵとを含み、前記第１のＰＤＣＰヘッダは、前記第１のネスト化されたＰＤＣＰ  ＰＤＵが第１の中継されたＰＤＣＰ  ＰＤＵと前記第１のＲＤに関連付けられた第１の識別子とを含むことを示す第１のＰＤＵタイプインジケータを含む、ステップと、
前記受信デバイスによって、前記第１のＰＤＣＰ  ＰＤＵを前記第１のＰＤＣＰ  ＰＤＵの対象とする受信者に送信するステップと
を含む方法。
【請求項１０】
前記第１のＰＤＣＰ  ＰＤＵを送信するステップは、前記第１のＰＤＣＰヘッダを送信するステップをさらに含む、請求項９に記載の方法。
【請求項１１】
前記受信デバイスによって、前記無線ベアラ上の第２のＲＤに関連する第２のネスト化されたＰＤＣＰ  ＰＤＵを受信するステップであって、前記第２のネスト化されたＰＤＣＰ  ＰＤＵは、第２のＰＤＣＰヘッダと第２のＰＤＣＰ  ＰＤＵとを含み、前記第２のＰＤＣＰヘッダは、前記第２のネスト化されたＰＤＣＰ  ＰＤＵが第２の中継されたＰＤＣＰ  ＰＤＵと前記第２のＲＤに関連付けられた第２の識別子とを含むことを示す第２のＰＤＵタイプインジケータを含み、前記第１のネスト化されたＰＤＣＰ  ＰＤＵおよび前記第２のＰＤＣＰ  ＰＤＵは一緒に集約される、ステップを
さらに含む、請求項９に記載の方法。
【請求項１２】
前記無線ベアラはデータ無線ベアラ（ＤＲＢ）である、請求項９に記載の方法。
【請求項１３】
前記無線ベアラはシグナリング無線ベアラ（ＳＲＢ）であって、前記第１のＰＤＣＰ  ＰＤＵは、前記第１のＰＤＣＰ  ＰＤＵが制御プレーントラフィックを含むことを示す第１の転送インジケータを含み、前記第１のＰＤＣＰヘッダは、前記第１のネスト化されたＰＤＣＰ  ＰＤＵが中継されたコントロールプレーントラフィックを含むことを示す第２の転送インジケータを含む、請求項９に記載の方法。
【請求項１４】
プロセッサと、
前記プロセッサにより実行されるプログラミングを格納するコンピュータ可読記憶媒体と
を備える送信デバイスであって、前記プログラミングは、
第１の遠隔デバイス（ＲＤ）に関連付けられた第１のパケットデータコンバージェンスプロトコル（ＰＤＣＰ）プロトコルデータユニット（ＰＤＵ）を受信し、前記第１のＰＤＣＰ  ＰＤＵは少なくとも第１のＰＤＣＰヘッダを含み、
第１のＰＤＣＰ  ＰＤＵに従って第１のネスト化されたＰＤＣＰ  ＰＤＵを生成し、前記第１のネスト化されたＰＤＣＰ  ＰＤＵは、第２のＰＤＣＰヘッダと前記第１のＰＤＣＰ  ＰＤＵとを含み、前記第２のＰＤＣＰヘッダは、前記第１のネスト化されたＰＤＣＰ  ＰＤＵが第１の中継されたＰＤＣＰ  ＰＤＵと前記第１のＲＤに関連付けられた第１の識別子とを含むことを示す第１のＰＤＵタイプインジケータを含み、
また無線ベアラ上で前記第１のネスト化されたＰＤＣＰ  ＰＤＵを送信する
ように前記送信デバイスを設定する命令を含む、送信デバイス。
【請求項１５】
前記プログラミングは第２のＰＤＣＰ  ＰＤＵを受信し、前記第２のＰＤＣＰ  ＰＤＵは少なくとも第３のＰＤＣＰヘッダを含み、前記第２のＰＤＣＰ  ＰＤＵに従って第２のネスト化されたＰＤＣＰ  ＰＤＵを生成し、前記無線ベアラ上で前記第２のネスト化されたＰＤＣＰ  ＰＤＵを前記第１のネスト化されたＰＤＣＰ  ＰＤＵと一緒に送信するように前記送信デバイスを設定する命令を含む、請求項１４に記載の送信デバイス。
【請求項１６】
前記プログラミングは、前記第１のネスト化されたＰＤＣＰ  ＰＤＵと前記第２のＰＤＣＰ  ＰＤＵとを集約し、前記集約された第１および第２のネスト化されたＰＤＣＰ  ＰＤＵを前記無線ベアラ上で送信するように前記送信デバイスを設定する命令を含む、請求項１５に記載の送信デバイス。
【請求項１７】
前記送信デバイスは、前記第１のＰＤＣＰ  ＰＤＵがアップリンク通信チャネルで受信されるときの中継ユーザ装置（ｒｅｌａｙ  ＵＥ）、または前記第１のＰＤＣＰ  ＰＤＵがダウンリンク通信チャネルで受信されるときの進化型ＮｏｄｅＢ（ｅＮＢ）のうちの１つである、請求項１４に記載の送信デバイス。
【請求項１８】
プロセッサと、
前記プロセッサにより実行されるプログラミングを格納するコンピュータ可読記憶媒体と
を備える受信デバイスであって、前記プログラミングは、
無線ベアラ上の第１の遠隔デバイス（ＲＤ）に関連付けられた第１のネスト化されたパケットデータコンバージェンスプロトコル（ＰＤＣＰ）プロトコルデータユニット（ＰＤＵ）を受信し、前記第１のネスト化されたＰＤＣＰ  ＰＤＵは、第１のＰＤＣＰヘッダと第１のＰＤＣＰ  ＰＤＵとを含み、前記第１のＰＤＣＰヘッダは、前記第１のネスト化されたＰＤＣＰ  ＰＤＵが第１の中継されたＰＤＣＰ  ＰＤＵと前記第１のＲＤに関連付けられた第１の識別子とを含むことを示す第１のＰＤＵタイプインジケータを含み、
また前記第１のＰＤＣＰ  ＰＤＵを前記第１のＰＤＣＰ  ＰＤＵの対象とする受信者に送信する
ように前記受信デバイスを設定する命令を含む、受信デバイス。
【請求項１９】
前記プログラミングは、前記第１のＰＤＣＰヘッダを送信するように前記受信デバイスを設定する命令を含む、請求項１８に記載の受信デバイス。
【請求項２０】
前記プログラミングは、前記無線ベアラ上で第２のＲＤに関連付けられた第２のネスト化されたＰＤＣＰ  ＰＤＵを受信するように前記受信デバイスを設定する命令を含み、前記第２のネスト化されたＰＤＣＰ  ＰＤＵは第２のＰＤＣＰヘッダと第２のＰＤＣＰとを含み、前記第２のＰＤＣＰヘッダは、前記第２のネスト化されたＰＤＣＰ  ＰＤＵが第２の中継されたＰＤＣＰ  ＰＤＵと前記第２のＲＤに関連する第２の識別子とを含むことを示す第２のＰＤＵタイプインジケータを含み、前記第１のネスト化されたＰＤＣＰ  ＰＤＵおよび前記第２のＰＤＣＰ  ＰＤＵは一緒に集約される、請求項１８に記載の受信デバイス。
【請求項２１】
前記受信デバイスは、前記第１のネスト化されたＰＤＣＰ  ＰＤＵがアップリンク通信チャネルで受信されるときの進化型ＮｏｄｅＢ（ｅＮＢ）、または前記第１のネスト化されたＰＤＣＰ  ＰＤＵがダウンリンク通信チャネルで受信されるときの中継ユーザ装置（ｒｅｌａｙ  ＵＥ）のうちの１つである、請求項１８に記載の受信デバイス。
【発明の詳細な説明】
【技術分野】
【０００１】
［関連出願の参照］
本出願は、２０１６年６月３日に出願され、かつ「Ｓｙｓｔｅｍ  ａｎｄ  Ｍｅｔｈｏｄ  ｆｏｒ  Ｄａｔａ  Ｆｏｒｗａｒｄｉｎｇ  ｉｎ  ａ  Ｃｏｍｍｕｎｉｃａｔｉｏｎｓ  Ｓｙｓｔｅｍ」と題する米国非仮特許出願第１５／１７２，６１８号の優先権を主張し、その全体が再現されているかのように、参照により本明細書に組み込まれるものとする。
【０００２】
本開示は、一般にデジタル通信に関し、特に、通信システムにおけるデータ転送のためのシステムおよび方法に関する。
【背景技術】
【０００３】
遠隔デバイスは、典型的には、埋め込み型電子機器、ソフトウェア、センサ、ならびに対象がオペレータ、製造業者、ユーザ、および／または他の接続対象と情報を交換できるようにする接続性を有する対象である。遠隔デバイスは、通常小型でバッテリ駆動である。一例として、検知作業（例えば、天気、火災、警備、健康、自動車など）に使用される遠隔デバイスは、電池交換またはユーザの介入なしに数年間動作することが期待される。したがって、バッテリ寿命は重要な考慮事項である。
【０００４】
遠隔デバイスは接続されているが、それらの接続性は通常、消費電力を最小限に抑えるために、ＰＣ５、ＢｌｕｅＴｏｏｔｈ（登録商標）（ＢＴ）、デバイス間（Ｄ２Ｄ）、近接サービス（ＰｒｏＳｅ）などの短距離技術に制限されている。したがって、遠隔配置されたデバイスおよび／またはサービスのために、遠隔デバイスとの間で通信を中継する中間デバイスが必要である。
【発明の概要】
【０００５】
例示的な実施形態は、通信システムにおけるデータ転送のためのシステムおよび方法を提供する。
【０００６】
例示的な実施形態によると、送信デバイスを動作させるための方法が提供される。本方法は、送信デバイスによって、第１の遠隔デバイス（ＲＤ）に関連付けられた第１のパケットデータコンバージェンスプロトコル（ＰＤＣＰ）プロトコルデータユニット（ＰＤＵ）を受信するステップであって、第１のＰＤＣＰ  ＰＤＵは少なくとも第１のＰＤＣＰヘッダを含む、ステップと、送信デバイスによって、第１のＰＤＣＰ  ＰＤＵに従って第１のネスト化されたＰＤＣＰ  ＰＤＵを生成するステップであって、第１のネスト化されたＰＤＣＰ  ＰＤＵは、第２のＰＤＣＰヘッダと第１のＰＤＣＰ  ＰＤＵとを含み、第２のＰＤＣＰヘッダは、第１のネスト化されたＰＤＣＰ  ＰＤＵが第１の中継されたＰＤＣＰ  ＰＤＵと第１のＲＤに関連付けられた第１の識別子とを含むことを示す第１のＰＤＵタイプインジケータを含む、ステップと、送信デバイスによって、無線ベアラ上で第１のネスト化されたＰＤＣＰ  ＰＤＵを送信するステップとを含む。
【０００７】
任意選択的に、前述の実施形態のいずれかによると、本方法は、送信デバイスによって、第２のＰＤＣＰ  ＰＤＵを受信するステップであって、第２のＰＤＣＰ  ＰＤＵは少なくとも第３のＰＤＣＰヘッダを含む、ステップと、送信デバイスによって、第２のＰＤＣＰ  ＰＤＵに従って第２のネスト化されたＰＤＣＰ  ＰＤＵを生成するステップと、送信デバイスによって、第２のネスト化されたＰＤＣＰ  ＰＤＵを第１のネスト化されたＰＤＣＰ  ＰＤＵと一緒に無線ベアラ上で送信するステップとをさらに含む。
【０００８】
任意選択的に、前述の実施形態のいずれかによると、本方法では、第２のネスト化されたＰＤＣＰ  ＰＤＵを第１のネスト化されたＰＤＣＰ  ＰＤＵと一緒に送信するステップは、送信デバイスによって、第１のネスト化されたＰＤＣＰ  ＰＤＵおよび第２のＰＤＣＰ  ＰＤＵを集約するステップと、送信デバイスによって、集約された第１および第２のネスト化されたＰＤＣＰ  ＰＤＵを無線ベアラ上で送信するステップとを含む。
【０００９】
任意選択的に、前述の実施形態のいずれかによると、本方法では、第２のＰＤＣＰ  ＰＤＵは第２のＲＤから受信され、第２のネスト化されたＰＤＣＰ  ＰＤＵは、第４のＰＤＣＰヘッダと第２のＰＤＣＰ  ＰＤＵとを含み、第４のＰＤＣＰヘッダは、第２のネスト化されたＰＤＣＰ  ＰＤＵが第２の中継されたＰＤＣＰ  ＰＤＵと第２のＲＤに関連付けられた第２の識別子とを含むことを示す第２のＰＤＵタイプインジケータを含む。
【００１０】
任意選択的に、前述の実施形態のいずれかによると、本方法では、第１のＲＤと第２のＲＤは同一である。
【００１１】
任意選択的に、前述の実施形態のいずれかによると、本方法では、無線ベアラはデータ無線ベアラ（ＤＲＢ）である。
【００１２】
任意選択的に、前述の実施形態のいずれかによると、本方法では、第１のＰＤＣＰ  ＰＤＵは制御プレーントラフィックを含み、第１のＰＤＣＰヘッダは、第１のネスト化されたＰＤＣＰ  ＰＤＵを送信するために使用されるＳＲＢを識別するシグナリング無線ベアラ（ＳＲＢ）インジケータを含む。
【００１３】
任意選択的に、前述の実施形態のいずれかによると、本方法では、無線ベアラはシグナリング無線ベアラ（ＳＲＢ）であって、第１のＰＤＣＰヘッダは、第１のＰＤＣＰ  ＰＤＵが制御プレーントラフィックを含むことを示す第１の転送インジケータを含み、第２のＰＤＣＰヘッダは、第１のネスト化されたＰＤＣＰ  ＰＤＵが中継されたコントロールプレーントラフィックを含むことを示す第２の転送インジケータを含む。
【００１４】
別の例示的な実施形態によると、受信デバイスを動作させるための方法が提供される。本方法は、受信デバイスによって、無線ベアラ上の第１のＲＤに関連付けられた第１のネスト化されたＰＤＣＰ  ＰＤＵを受信するステップであって、第１のネスト化されたＰＤＣＰ  ＰＤＵは、第１のＰＤＣＰヘッダと第１のＰＤＣＰ  ＰＤＵとを含み、第１のＰＤＣＰヘッダは、第１のネスト化されたＰＤＣＰ  ＰＤＵが第１の中継されたＰＤＣＰ  ＰＤＵと第１のＲＤに関連付けられた第１の識別子とを含むことを示す第１のＰＤＵタイプインジケータを含む、ステップと、受信デバイスによって、第１のＰＤＣＰ  ＰＤＵを第１のＰＤＣＰ  ＰＤＵの対象とする受信者に送信するステップとを含む。
【００１５】
任意選択的に、前述の実施形態のいずれかによると、本方法では、第１のＰＤＣＰ  ＰＤＵを送信するステップは、第１のＰＤＣＰヘッダを送信するステップをさらに含む。
【００１６】
任意選択的に、前述の実施形態のいずれかによると、本方法は、受信デバイスによって、無線ベアラ上の第２のＲＤに関連付けられた第２のネスト化されたＰＤＣＰ  ＰＤＵを受信するステップであって、第２のネスト化されたＰＤＣＰ  ＰＤＵは、第２のＰＤＣＰヘッダと第２のＰＤＣＰ  ＰＤＵとを含み、第２のＰＤＣＰヘッダは、第２のネスト化されたＰＤＣＰ  ＰＤＵが第２の中継されたＰＤＣＰ  ＰＤＵと第２のＲＤに関連付けられた第２の識別子とを含むことを示す第２のＰＤＵタイプインジケータを含み、第１のネスト化されたＰＤＣＰ  ＰＤＵおよび第２のＰＤＣＰ  ＰＤＵは一緒に集約される、ステップをさらに含む。
【００１７】
任意選択的に、前述の実施形態のいずれかによると、本方法では、無線ベアラはデータ無線ベアラ（ＤＲＢ）である。
【００１８】
任意選択的に、前述の実施形態のいずれかによると、本方法では、無線ベアラはシグナリング無線ベアラ（ＳＲＢ）であり、第１のＰＤＣＰ  ＰＤＵは、第１のＰＤＣＰ  ＰＤＵが制御プレーントラフィックを含むことを示す第１の転送インジケータを含み、第１のＰＤＣＰヘッダは、第１のネスト化されたＰＤＣＰ  ＰＤＵが中継されたコントロールプレーントラフィックを含むことを示す第２の転送インジケータを含む。
【００１９】
別の例示的な実施形態によると、送信デバイスが提供される。送信デバイスは、プロセッサと、プロセッサにより実行されるプログラミングを格納するコンピュータ可読記憶媒体とを備える。プログラミングは、第１のＲＤに関連付けられた第１のＰＤＣＰ  ＰＤＵを受信し、第１のＰＤＣＰ  ＰＤＵは少なくとも第１のＰＤＣＰヘッダを含み、第１のＰＤＣＰ  ＰＤＵに従って第１のネスト化されたＰＤＣＰ  ＰＤＵを生成し、第１のネスト化されたＰＤＣＰ  ＰＤＵは、第２のＰＤＣＰヘッダと第１のＰＤＣＰ  ＰＤＵとを含み、第２のＰＤＣＰヘッダは、第１のネスト化されたＰＤＣＰ  ＰＤＵが第１の中継されたＰＤＣＰ  ＰＤＵと第１のＲＤに関連付けられた第１の識別子とを含むことを示す第１のＰＤＵタイプインジケータを含み、また無線ベアラ上で第１のネスト化されたＰＤＣＰ  ＰＤＵを送信するように送信デバイスを設定する命令を含む。
【００２０】
任意選択的に、前述の実施形態のいずれかによると、送信デバイスでは、プログラミングは第２のＰＤＣＰ  ＰＤＵを受信し、第２のＰＤＣＰ  ＰＤＵは少なくとも第３のＰＤＣＰヘッダを含み、第２のＰＤＣＰ  ＰＤＵに従って第２のネスト化されたＰＤＣＰ  ＰＤＵを生成し、無線ベアラ上で第２のネスト化されたＰＤＣＰ  ＰＤＵを第１のネスト化されたＰＤＣＰ  ＰＤＵと一緒に送信するように送信デバイスを設定する命令を含む。
【００２１】
任意選択的に、前述の実施形態のいずれかによると、送信デバイスでは、プログラミングは、第１のネスト化されたＰＤＣＰ  ＰＤＵと第２のＰＤＣＰ  ＰＤＵとを集約し、集約された第１および第２のネスト化されたＰＤＣＰ  ＰＤＵを無線ベアラ上で送信するように送信デバイスを設定する命令を含む。
【００２２】
任意選択的に、前述の実施形態のいずれかによると、送信デバイスは、第１のＰＤＣＰ  ＰＤＵがアップリンク通信チャネルで受信されるときの中継ユーザ装置（ｒｅｌａｙ  ＵＥ）、または第１のＰＤＣＰ  ＰＤＵがダウンリンク通信チャネルで受信されるときの進化型ＮｏｄｅＢ（ｅＮＢ）のうちの１つである。
【００２３】
別の例示的な実施形態によると、受信デバイスが提供される。受信デバイスは、プロセッサと、プロセッサにより実行されるプログラミングを格納するコンピュータ可読記憶媒体とを備える。プログラミングは、無線ベアラ上の第１のＲＤに関連付けられた第１のネスト化されたＰＤＣＰ  ＰＤＵを受信し、第１のネスト化されたＰＤＣＰ  ＰＤＵは、第１のＰＤＣＰヘッダと第１のＰＤＣＰ  ＰＤＵとを含み、第１のＰＤＣＰヘッダは、第１のネスト化されたＰＤＣＰ  ＰＤＵが第１の中継されたＰＤＣＰ  ＰＤＵと第１のＲＤに関連付けられた第１の識別子とを含むことを示す第１のＰＤＵタイプインジケータを含み、また第１のＰＤＣＰ  ＰＤＵを第１のＰＤＣＰ  ＰＤＵの対象とする受信者に送信するように受信デバイスを設定する命令を含む。
【００２４】
任意選択的に、前述の実施形態のいずれかによると、受信デバイスでは、プログラミングは、第１のＰＤＣＰヘッダを送信するように受信デバイスを設定する命令を含む。
【００２５】
任意選択的に、前述の実施形態のいずれかによると、受信デバイスでは、プログラミングは、無線ベアラ上で第２のＲＤに関連付けられた第２のネスト化されたＰＤＣＰ  ＰＤＵを受信するように受信デバイスを設定する命令を含み、第２のネスト化されたＰＤＣＰ  ＰＤＵは第２のＰＤＣＰヘッダと第２のＰＤＣＰとを含み、第２のＰＤＣＰヘッダは、第２のネスト化されたＰＤＣＰ  ＰＤＵが第２の中継されたＰＤＣＰ  ＰＤＵと第２のＲＤに関連付けられた第２の識別子とを含むことを示す第２のＰＤＵタイプインジケータを含み、第１のネスト化されたＰＤＣＰ  ＰＤＵおよび第２のＰＤＣＰ  ＰＤＵは一緒に集約される。
【００２６】
任意選択的に、前述の実施形態のいずれかによると、受信デバイスは、第１のネスト化されたＰＤＣＰ  ＰＤＵがアップリンク通信チャネルで受信されるときの進化型ＮｏｄｅＢ（ｅＮＢ）、または第１のネストＰＤＣＰ  ＰＤＵがダウンリンク通信チャネルで受信されるときの中継ユーザ装置（ｒｅｌａｙ  ＵＥ）のうちの１つである。
【００２７】
前述の実施形態の実施は、サポートされるリモートデバイスの数および全体的なリソース利用を増加させるために、複数のリモートデバイスへのまたはそこからのデータの集約を可能にする。
【図面の簡単な説明】
【００２８】
本発明およびその利点をより完全に理解するために、添付図面との関連でなされる以下の説明を参照する。
【００２９】
【図１】図１は、本明細書で説明される例示的な実施形態による例示的な無線通信システムを示す。
【図２】図２は、本明細書で説明される例示的な実施形態による、中継ＵＥをサポートする無線通信システム用の例示的なプロトコルスタックの図を示す。
【図３】図３は、本明細書で説明される例示的な実施形態による無線通信システムサポート中継ＵＥのデバイスのＰＤＣＰエンティティ間の例示的接続を示す。
【図４】図４は、本明細書で説明される例示的な実施形態による例示的なＰＤＣＰ  ＰＤＵを示す。
【図５】図５は、本明細書で説明される例示的な実施形態による例示的なネスト化されたＰＤＣＰ  ＰＤＵを示す。
【図６】図６は、本明細書で説明される例示的な実施形態による、ＲｏＨＣフィードバックＰＤＵを含む例示的なネスト化されたＰＤＣＰ  ＰＤＵを示す。
【図７】図７は、本明細書で説明される例示的な実施形態による、ダウンリンクにおいて発生する例示的な処理のフロー図を示す。
【図８】図８は、本明細書で説明される例示的な実施形態による、アップリンクにおいて発生する例示的な処理のフロー図を示す。
【図９】図９は、本明細書で説明される例示的な実施形態による、ＲＤとのダウンリンク通信に関与するｅＮＢにおいて発生する例示的な動作のフロー図を示す。
【図１０】図１０は、本明細書で説明される例示的な実施形態による、ＲＤとのダウンリンク通信に関与する中継ＵＥにおいて発生する例示的な動作のフロー図を示す。
【図１１】図１１は、本明細書で説明される例示的な実施形態による、ＲＤとのアップリンク通信に関与する中継ＵＥにおいて発生する例示的な動作のフロー図を示す。
【図１２】図１２は、本明細書で説明される例示的な実施形態による、ＲＤとのアップリンク通信に関与するｅＮＢにおいて発生する例示的な動作のフロー図を示す。
【図１３】図１３は、本明細書で説明される例示的な実施形態による、デバイスがＲＤとのダウンリンク通信を実行する際に、デバイス間で交換されるメッセージと、デバイスによって実行される動作とを強調するメッセージフロー図を示す。
【図１４】図１４は、本明細書で説明される例示的な実施形態による、制御プレーントラフィックを中継するために使用される例示的なネスト化されたＰＤＣＰ  ＰＤＵを示す。
【図１５】図１５は、本明細書で説明される例示的な実施形態による、どのＳＲＢが制御プレーントラフィックを伝達するのに使用されたかの区別を保持しながら、制御プレーントラフィックを中継するのに使用される例示的なネスト化されたＰＤＣＰ  ＰＤＵを示す図である。
【図１６】図１６は、本明細書で説明される例示的な実施形態による、デバイスがＲＤとのダウンリンクシグナリングを実行する際に、デバイス間で交換されるメッセージと、デバイスによって実行される動作とを強調するメッセージフロー図を示す。
【図１７】図１７は、本明細書で説明される例示的な実施形態による、ＳＲＢ上で制御プレーントラフィックを中継するために使用される例示的なネスト化されたＰＤＣＰ  ＰＤＵを示す。
【図１８】図１８は、本明細書で説明される例示的な実施形態による、ＳＲＢ情報を保持しながら、制御プレーントラフィックを中継するのに使用される例示的なネスト化されたＰＤＣＰ  ＰＤＵを示す図である。
【図１９】図１９は、本明細書で説明される例示的な実施形態による、デバイスがＳＲＢを用いてＲＤとのダウンリンクシグナリングを実行する際に、デバイス間で交換されるメッセージと、デバイスによって実行される動作とを強調するメッセージフロー図を示す。
【図２０】図２０は、本明細書で説明される方法を実行するための実施形態の処理システムのブロック図を示す。
【図２１】図２１は、本明細書で説明される例示的な実施形態による、電気通信ネットワークを介してシグナリングを送受信するように適合されたトランシーバのブロック図を示す。
【発明を実施するための形態】
【００３０】
現在の例示的な実施形態の動作およびその構造は、以下に詳細に説明される。しかしながら、本開示は、多種多様な特定の状況で具体化することができる多くの適用可能な発明概念を提供することを理解されたい。説明される特定の実施形態は、実施形態の特定の構造および本明細書に開示した実施形態を動作させる方法の単になる例示であり、開示の範囲を限定するものではない。
【００３１】
一実施形態は、通信システムにおけるデータ転送のためのシステムおよび方法に関する。例えば、送信デバイスは、第１の遠隔デバイス（ＲＤ）に関連付けられ、少なくとも第１のＰＤＣＰヘッダを含む第１のパケットデータコンバージェンスプロトコル（ＰＤＣＰ）プロトコルデータユニット（ＰＤＵ）を受信し、第１のＰＤＣＰ  ＰＤＵに従って第１のネスト化されたＰＤＣＰ  ＰＤＵを生成し、第１のネスト化されたＰＤＣＰ  ＰＤＵは、第２のＰＤＣＰヘッダと第１のＰＤＣＰ  ＰＤＵとを含み、第２のＰＤＣＰヘッダは、第１のネスト化されたＰＤＣＰ  ＰＤＵが第１の中継されたＰＤＣＰ  ＰＤＵと第１のＲＤに関連付けられた第１の識別子とを含むことを示す第１のＰＤＵタイプインジケータを含み、また第１のネスト化されたＰＤＣＰ  ＰＤＵを無線ベアラ上で送信する。
【００３２】
実施形態は、特定のコンテキストにおける例示的な実施形態、すなわち遠隔デバイスに対する通信中継をサポートする通信システムに関して説明される。実施形態は、第３世代パートナーシッププロジェクト（３ＧＰＰ）、ＩＥＥＥ８０２．１１などに準拠するものなどの規格準拠の通信システム、技術規格、および遠隔デバイスに対する通信中継をサポートする非規格準拠の通信システムに適用し得る。
【００３３】
図１は、例示的な無線通信システム１００を示す。無線通信システム１００は、ＵＥ１１０、ＵＥ１１２、およびＵＥ１１４などの複数のユーザ装置（ＵＥ）にサービス提供する進化型ＮｏｄｅＢ（ｅＮＢ）１０５を含む。セルラ動作モードでは、複数のＵＥとの間の通信はｅＮＢ１０５を介して行われ、一方、近接サービス（ＰｒｏＳｅ）動作モードなどの機械間通信モードでは、例えば、ＵＥ間の直接通信は可能である。ｅＮＢはまた、一般に、ＮｏｄｅＢ、コントローラ、基地局、アクセスポイントなどと呼ばれることがあり、一方、ＵＥは一般に、移動局、移動体、端末、ユーザ、加入者、局などと呼ばれることもある。ｅＮＢからＵＥへの通信は一般にダウンリンク通信と呼ばれ、一方ＵＥからｅＮＢへの通信は一般にアップリンク通信と呼ばれる。
【００３４】
無線通信システム１００はまた、ネットワーク間の相互接続性を提供するパケットゲートウェイ（Ｐ−ＧＷ）１１５、およびユーザ向けのパケットの入口および出口点を提供するサービングゲートウェイ（Ｓ−ＧＷ）１２０などのネットワークエンティティを含む。無線通信システム１００はまた、ＲＤ１２５、ＲＤ１２７、およびＲＤ１２９などの複数の遠隔デバイス（ＲＤ）を含む。複数のＲＤは、センサデバイス、ウェアラブルデバイス、スマートアプライアンスなどを含み得る。通信システムは、いくつかのＵＥおよびＲＤと通信することができる複数のｅＮＢを使用し得ることが理解されるが、簡単にするために、たった１つのｅＮＢ、多数のＵＥ、および多数のＲＤが図示されている。
【００３５】
前述のように、ＲＤは通常、範囲に関し限定された接続オプションを有する。一例として、電力消費を考慮すると、ＲＤが、３ＧＰＰ  ＬＴＥ、より長距離のＩＥＥＥ８０２．１１ＷｉＦｉ技術、符号分割多重接続（ＣＤＭＡ）などの中長距離無線接続性を有することはありそうもない。さらに、長距離通信技術をサポートするＲＤでさえも、電力消費および／または無線性能に対する制限のために、スマートフォンのような典型的な長距離装置と比較して劣化したリンクバジェットに直面することがある。したがって、無線通信システム内のＵＥは、ＲＤとの間で通信を中継するための中継器として機能し得る。ＵＥは、ＰＣ５、ＢｌｕｅＴｏｏｔｈ、ＰｒｏＳｅ、短距離ＩＥＥＥ８０２．１１ＷｉＦｉ技術、Ｄ２Ｄなどのような短距離接続を介してＲＤに接続し、ＲＤと遠隔地にあるサービスおよび／またはデバイスとの間でパケットを転送し得る。中継サービスを提供するＵＥは、中継ＵＥと呼ばれることがある。中継ＵＥもまた、通常のＵＥとして動作し得る。例示的な例として、ＵＥ１１０はＲＤ１２５およびＲＤ１２７の中継器として機能し、一方ＵＥ１１２はＲＤ１２７およびＲＤ１２９の中継器として機能し、ＲＤと遠隔地にあるサービス１３０および／またはデバイス１３５との間の接続性をｅＮＢ１０５により提供する。ＵＥ１１２がＲＤ１２７およびＲＤ１２９の中継器として機能する一方、ＵＥ１１２のユーザはまた、音声通話などの他の活動にもＵＥ１１２を使用し、ならびに、例えば、ＵＥ１１２によって提供されるホットスポットサービスを利用してインターネットに接続されたコンピュータを使用し得る。
【００３６】
中継ＵＥは、１つまたは複数のＲＤに中継サービスを提供し、ＲＤからプロトコルデータユニット（ＰＤＵ）を受信し、受信したＰＤＵを中継ＵＥにサービスを提供するｅＮＢに転送し得る、またはＵＥにサービスを提供するｅＮＢからＰＤＵを受信し、受信したＰＤＵをそれぞれのＲＤに転送し得る。一般に、ＰＤＵは、パケットヘッダと１つまたは複数のパケットとを含み、パケットヘッダは、１つまたは複数のパケットが対象とする宛先に到達することを保証する特定のフォーマットの情報を含む。単一の中継ＵＥによってサポートされるＲＤの数は、急速に増加し得る。一例として、中継ＵＥは、スマートウォッチ、スマートメガネ、フィットネスまたはアクティビティトラッカなどを含む、ＵＥの所有者によって所有されるＲＤに対してＰＤＵを中継することが期待される。中継ＵＥはまた、一日を通して遭遇する可能性がある他のＲＤに対してＰＤＵを中継し得る。中継ＵＥは、各ＲＤに対して別々のデータ無線ベアラ（ＤＲＢ）を使用し得る。しかしながら、ＤＲＢの数に制限があり、それにより、中継ＵＥによってサポートされるＲＤの数に制限を設けることがある。例示的な例として、３ＧＰＰ  ＬＴＥでは、ＤＲＢの最大数は８個であり、これは、リレーＵＥがその所有者によって所有される３つ以上のＲＤに対して既にＰＤＵを中継している可能性があるため、比較的少ない数である。
【００３７】
図２は、中継ＵＥをサポートする無線通信システム用の例示的なプロトコルスタックの図２００を示す。ダイアグラム２００は、ＲＤ２０５、中継ＵＥ２１０、ｅＮＢ２１５、およびＰ−ＧＷ２２０に対するプロトコルスタックを含む。ＲＤ２０５に対するプロトコルスタックは、ＲＤ２０５と中継ＵＥ２１０との間の直接リンク上でＰＤＵを送受信するための処理を制御する短距離リンクトランスポートエンティティ２２５と、ＲＤ２０５によって送受信されるＰＤＣＰ  ＰＤＵの処理を制御するパケットデータコンバージェンスプロトコル（ＰＤＣＰ）エンティティ２２７と、ＲＤ２０５によって送受信されるＩＰプロトコルＰＤＵを処理するインターネットプロトコル（ＩＰ）エンティティ２２０とを含む。中継ＵＥ２１０に対するプロトコルスタックは、中継ＵＥ２１０とＲＤ２０５との間の直接リンク上でＰＤＵを送受信するための処理を制御する短距離リンクプロトコルエンティティ２３０と、ＲＤ２０５から受信されたまたはそこに送信されたＰＤＣＰ  ＰＤＵを処理する第１のＰＤＣＰエンティティ２３２と、ｅＮＢ２１５から受信されたまたはそこに送信されたＰＤＣＰ  ＰＤＵを処理する第２のＰＤＣＰエンティティ２３４と、ｅＮＢ２１５から受信されたまたはそこに送信されたＰＤＵを処理するＭＡＣ、ＲＬＣおよびＰＨＹ層を提供するメディアアクセス制御（ＭＡＣ）／無線リンク制御（ＲＬＣ）／物理（ＰＨＹ）層エンティティ２３６とを含む。
【００３８】
ｅＮＢ２１５に対するプロトコルスタックは、中継ＵＥ２１０から受信されたまたはそこに送信されたＰＤＵを処理するＭＡＣ、ＲＬＣ、およびＰＨＹ層を提供するＭＡＣ／ＲＬＣ／ＰＨＹ層エンティティ２４０と、中継ＵＥ２１０から受信されたまたはそこに送信されたＰＤＣＰ  ＰＤＵを処理するＰＤＣＰ層エンティティ２４２と、Ｓ−ＧＷを介してＰＤＵに対して中継サービスを提供するユーザデータ（ＧＴＰ−Ｕ）中継エンティティ２４４に対する汎用パケット無線サービス（ＧＰＲＳ）トンネリングプロトコル（ＧＴＰ）とを含む。Ｐ−ＧＷ２２０に対するプロトコルスタックは、ｅＮＢ２１５から受信されたまたはそこに送信されたＰＤＵを処理するＧＴＰ−Ｕ中継エンティティ２５０と、Ｐ−ＧＷ２２０によって送受信されるＩＰプロトコルＰＤＵを処理するＩＰエンティティ２５２とを含む。
【００３９】
図２は、プロトコルスタック内の同じレベルのエンティティ間の直接接続を示しているが、ＰＤＵはプロトコルスタック内の同じレベルのエンティティ間で直接転送されない。代わりに、ＰＤＵは、送信元デバイスと宛先デバイス、および任意の中間デバイスのそれぞれのプロトコルスタックを通過する。例示的な例として、ＲＤ２０５によって受信されたＰ−ＧＷ２２０からのＩＰ  ＰＤＵは、ＩＰエンティティ２５２で開始し、次いでＩＰエンティティ２２９に到着する前にＧＴＰ−Ｕ中継エンティティ２５０、ＧＴＰ−Ｕエンティティ２４４、ＰＤＣＰエンティティ２４２、ＭＡＣ／ＲＬＣ／ＰＨＹ層エンティティ２４０、ＭＡＣ／ＲＬＣ／ＰＨＹ層エンティティ２３６、第２のＰＤＣＰエンティティ２３４、第１のＰＤＣＰエンティティ２３２、短距離リンクプロトコルエンティティ２３０、短距離リンクトランスポートエンティティ２２５、およびＰＤＣＰエンティティ２２７を通過する。
【００４０】
例示的な実施形態によると、ＲＤに関連付けられたＰＤＵは単一のＤＲＢ上に集約される。アップリンク上で単一の中継ＵＥによって中継されるＲＤに関連付けられたＰＤＵは、中継ＵＥとそのサービングｅＮＢとの間の単一のＤＲＢ上で集約されて送信される。ＰＤＵを単一のＤＲＢ上で集約することは、各ＲＤに関連付けられたＰＤＵが個々のＤＲＢを使用して送信される場合よりも、中継ＵＥがより多くのＲＤをサポートすることを可能にする。したがって、サポートされるＲＤの数が増え、通信システムの効率が向上する。ダウンリンク上で単一の中継ＵＥによって中継されるＲＤに関連付けられたＰＤＵは、中継ＵＥにおいて単一のＤＲＢで受信され、個々のＰＤＵに分割されて対応するＲＤに転送される。
【００４１】
例示的な実施形態によると、ＲＤに関連付けられたＰＤＣＰ  ＰＤＵは、単一のＤＲＢ上で集約される。アップリンク上で単一の中継ＵＥによって中継されるＲＤに関連付けられたＰＤＣＰ  ＰＤＵは、中継ＵＥとそのサービングｅＮＢとの間の単一のＤＲＢ上で集約されて送信される。ダウンリンク上で単一の中継ＵＥによって中継されるＲＤに関連付けられたＰＤＣＰ  ＰＤＵは、中継ＵＥにおいて単一のＤＲＢで受信され、個々のＰＤＣＰ  ＰＤＵに分割されて対応するＲＤに転送される。
【００４２】
図３は、無線通信システムサポート中継ＵＥのデバイスのＰＤＣＰエンティティ間の例示的接続３００を示す。アップリンクでは、図３に示すように、ＰＤＣＰエンティティ３０４を有する第１のＲＤ（ＲＤ１）３０２およびＰＤＣＰエンティティ３０８を有する第２のＲＤ（ＲＤ２）３０６は、個々のＲＤ−ＵＥリンク３１０によって中継ＵＥ３１２にＰＤＣＰレベルで論理的に接続される。中継ＵＥ３１２は、単一のＤＲＢ３２５によってｅＮＢ３２７に論理的に接続されている。別々のＲＤからのＰＤＣＰ  ＰＤＵは、個々のＲＤ−ＵＥリンク３１０を介して中継ＵＥ３１２に送信され、そこで第１のＰＤＣＰエンティティ３１５はＰＤＣＰ  ＰＤＵを受信し、それらを複数のネスト化されたＰＤＣＰ  ＰＤＵを生成して一緒に集約する第２のＰＤＣＰエンティティ３２０に転送する。第２のＰＤＣＰエンティティ３２０は、集約されたＰＤＣＰ  ＰＤＵを単一のＤＲＢ３２５を介してｅＮＢ３２７に送信する。ＰＤＣＰエンティティ３３０は、集約されたＰＤＣＰ  ＰＤＵを処理する。
【００４３】
ダウンリンクにおいて、ＰＤＣＰエンティティ３３０は、複数のネスト化されたＰＤＣＰ  ＰＤＵを含む集約されたＰＤＣＰ  ＰＤＵを単一のＤＲＢ  ３２５を介して中継ＵＥ  ３１２の第２のＰＤＣＰエンティティ３２０に送信する。第２のＰＤＣＰエンティティ３２０は、集約されたＰＤＣＰ  ＰＤＵを複数のネスト化されたＰＤＣＰ  ＰＤＵに分割し、複数のネスト化されたＰＤＣＰ  ＰＤＵを第１のＰＤＣＰエンティティ３１５に転送する。第１のＰＤＣＰエンティティ３１５は、複数のネスト化されたＰＤＣＰ  ＰＤＵを個々のＲＤ−ＵＥリンク３１０を介してそれぞれのＲＤに送信する。
【００４４】
図４は、例示的なＰＤＣＰ  ＰＤＵ４００を示す。ＰＤＣＰ  ＰＤＵ４００は、ＰＤＣＰ制御ＰＤＵの一例としてロバストヘッダ圧縮（ＲｏＨＣ）フィードバックＰＤＵを示す。ＰＤＣＰ  ＰＤＵ４００は、少なくとも第１のオクテット（ＯＣＴＥＴ１）４０５および第２のオクテット（ＯＣＴＥＴ２）４０７を含む。第１のオクテット４０５は、データ／制御（Ｄ／Ｃ）ビット４１０内のＰＤＵタイプインジケータ、ＰＤＵタイプフィールド４１５内のＰＤＵタイプインジケータ、ビット４２０およびビット４２２などの複数の予約ビットなどの制御情報を含む。ＲｏＨＣフィードバックＰＤＵとして、Ｄ／Ｃビット４１０は、ＰＤＣＰ  ＰＤＵ４００が制御ＰＤＵおよびＰＤＵを含むことを示す「１」に設定され、タイプフィールド４１５は、ＰＤＣＰ  ＰＤＵ４００がＲｏＨＣフィードバックＰＤＵであることを示す「００１」に設定される。第２のオクテット４０７は、ＲｏＨＣフィードバックＰＤＵ（すなわち、ＰＤＣＰ  ＰＤＵ４００）のフィードバック情報を含む。ＰＤＵタイプフィールド４１５が「０００」に設定されている場合、ＰＤＣＰ  ＰＤＵ４００はステータス報告ＰＤＵである。ＰＤＵタイプフィールド４１５の他の値は将来の使用のために予約されている。
【００４５】
第１のオクテット（ＯＣＴＥＴ１）４０５は、ＰＤＵのパケットヘッダがどのように使用されるかと同様の方法で使用され得る。第１のオクテット４０５に含まれる情報は特定のフォーマットに準拠し、内容はＰＤＣＰ  ＰＤＵ４００が適切に処理されることを確実にするためにＰＤＣＰ  ＰＤＵ４００のフォーマットおよびないようを記述するために使用され得る一方、ＰＤＵのパケットヘッダは特定のフォーマットおよびＰＤＵが対象の宛先に確実に到達するのに役立つ内容を有する情報を含む。したがって、ＰＤＣＰ  ＰＤＵの先頭に含まれる情報、例えば、第１のオクテット４０５は、技術的にはパケットヘッダではないが、ヘッダと呼ばれることがある。本明細書で使用される場合、用語ヘッダは、ＰＤＣＰ  ＰＤＵが適切に処理されることを保証するために使用される特定のフォーマットおよび内容を有する情報を識別する一方、用語パケットヘッダは、ＰＤＣＰ  ＰＤＵが確実に対象の宛先に到着するために使用される情報を識別する。説明はＰＤＣＰ  ＰＤＵの第１のオクテットがヘッダと呼ばれることに着目しているが、本明細書に提示される例示的な実施形態は、指定されたフォーマットに準拠する情報や内容を含み、ＰＤＣＰ  ＰＤＵが正しく処理されることを保証するために使用される、第１のオクテットのサブセット、複数のオクテット、複数のオクテットのサブセットなどの他の情報量で動作可能である。したがって、これらの他の情報量もまたヘッダと呼ばれることがある。
【００４６】
例示的な実施形態によれば、例えば、単一のＤＲＢ上で一緒に集約されるＰＤＣＰ  ＰＤＵに関連付けられたＲＤの識別を可能にするために新しいＰＤＣＰ  ＰＤＵタイプが指定される。異なるＲＤに対して別々のＤＲＢを使用することで、どのＲＤがＰＤＣＰ  ＰＤＵの送信元あるいは受信者であるかを区別できるようになる。ただし、複数のＰＤＣＰ  ＰＤＵが集約されて単一のＤＲＢを介して送信される場合、ＰＤＣＰ  ＰＤＵの送信元または受信者を簡単に識別することはできない。
【００４７】
例示的な実施形態によると、ネスト化されたＰＤＣＰ  ＰＤＵは、指定された値に設定されたＰＤＵタイプフィールドを有する既存のＰＤＣＰ  ＰＤＵフォーマットを利用する。既存のＰＤＵフォーマットを利用することにより、新しいＰＤＵフォーマットを設計する必要がなくなる。さらに、ネスト化されたＰＤＣＰ  ＰＤＵはＰＤＣＰ  ＰＤＵの外観を持つが未定義の値に設定されたＰＤＵタイプフィールドを有するため、レガシーデバイスは、ネスト化されたＰＤＣＰ  ＰＤＵを処理する方法がわからないが、それでもなおネスト化されたＰＤＣＰ  ＰＤＵを検知できる。
【００４８】
例示的な実施形態によると、ＰＤＣＰ  ＰＤＵのＰＤＵタイプフィールドの予約値のうちの１つまたは複数は、ネスト化されたＰＤＣＰ  ＰＤＵを示すために使用される。ＰＤＵタイプフィールドの第１の値は、ネストされたＰＤＣＰ  ＰＤＵが転送用のデータＰＤＵを含むことを示すために使用され得る。ＰＤＵタイプフィールドの第２の値は、ネスト化されたＰＤＣＰ  ＰＤＵが転送用のデータＰＤＵを含み、その内容はユーザデータではなくシグナリングを含むことを示すために使用され得る。手短に言えば、シグナリングを含む内容を有するデータＰＤＵは、転送のためのシグナリングＰＤＵと呼ばれることがある。ＰＤＵタイプフィールドの第１および第２の値は、まだ予約されていない、考え得るＰＤＵタイプフィールド値から選択されてもよい。例示的な例として、値「０００」および「００１」は既に予約されているので、第１および第２の値は値「０１０」、「０１１」、「１００」、「１０１」、「１１０」、および「１１１」（すなわち、ＰＤＵタイプフィールドの残りの６つの考え得る値）から選択され得る。例えば、第１の値は「０１０」であり、第２の値は「０１１」であってもよい。あるいは、ＰＤＵタイプフィールドの単一の値は、データがユーザデータ（データＰＤＵ）またはシグナリング（シグナリングメッセージ）のいずれを含むかに関係なく、ネスト化されたＰＤＣＰ  ＰＤＵが転送用のデータを含むことを示すために使用されてもよい。
【００４９】
例示的な実施形態によると、第１のネスト化されたＰＤＣＰ  ＰＤＵタイプは、転送用のデータＰＤＵを含むことを示し、第２のネスト化されたＰＤＣＰ  ＰＤＵタイプは、転送用のシグナリングＰＤＵを含むことを示す。ネスト化されたＰＤＣＰ  ＰＤＵが第２のネスト化されたＰＤＣＰ  ＰＤＵタイプである状況（例えば、ＰＤＵタイプフィールドが第２の値、即ち「０１１」に等しい）では、中継ＵＥは、たとえＲＤシグナリングが中継ＵＥのＤＲＢ上で搬送されるとしても、ネスト化されたＰＤＣＰ  ＰＤＵをＤＲＢ上のデータまたはシグナリング無線ベアラ（ＳＲＢ）上のシグナリングとして送信し得る。正確な挙動は、ＲＤ−ＵＥリンクのアクセス技術に依存し得る。例示的な例として、ＲＤ−ＵＥリンクがＰＣ５インタフェースを介したＬＴＥサイドリンクトランスポートを使用する場合、ネスト化されたＰＤＣＰ  ＰＤＵは、ネスト化されたＰＤＣＰ  ＰＤＵ内に含まれるＰＤＣＰ  ＰＤＵがサイドリンクデータ無線ベアラ（Ｓ−ＤＲＢ）上でまたはサイドリンクシグナリング無線ベアラ（Ｓ−ＳＲＢ）上で送信されるか否かを判断する。他のアクセス技術は、適用される異なる規則を有し得ることに留意されたい。
【００５０】
図５は、例示的なネスト化されたＰＤＣＰ  ＰＤＵ５００を示す。第１のオクテット（ＯＣＴ１）５０５は、ネスト化されたＰＤＣＰ  ＰＤＵ５００の制御情報を含み得る。ヘッダとして機能する第１のオクテット５０５は、ネスト化されたＰＤＣＰ  ＰＤＵ  ５００がデータＰＤＵであるか制御ＰＤＵであるかを示すＤ／Ｃビット５１０と、ＰＤＵタイプを示すＰＤＵタイプフィールド５１２と、ネスト化されたＰＤＣＰ  ＰＤＵ５００に含まれるＰＤＣＰ  ＰＤＵに関連付けられたＲＤの識別子（すなわち、ＲＤ  ＩＤ）を示すＲＤ識別子フィールド５１４とを含む。Ｄ／Ｃビット５１０は１ビットフィールドであってもよく、ＰＤＵタイプフィールド５１２は３ビットフィールドであってもよく、ＲＤ識別子フィールド５１４は４ビットフィールドであってもよい。サイズが４ビットであるため、ＲＤ識別子フィールド５１４は、ネスト化されたＰＤＣＰ  ＰＤＵ５００が最大１６個のＲＤをサポートすることを可能にする。しかしながら、より多くのＲＤのサポートを可能にするためにＲＤ識別子フィールド５１４はより大きくされてもよく、例えば、ＲＤ識別子フィールド５１４は、必要に応じて第２のオクテット以上に拡張してもよい。第２オクテット（ＯＣＴ２）５０７およびネスト化されたＰＤＣＰ  ＰＤＵ５００の後続のオクテットは、必要に応じて完全なＰＤＣＰ  ＰＤＵ５２０からなる。言い換えれば、第２のオクテット５０７およびネスト化されたＰＤＣＰ  ＰＤＵ５００の後続のオクテットは集約されるＰＤＣＰ  ＰＤＵを保持するために使用される。
【００５１】
図６は、ＲｏＨＣフィードバックＰＤＵを含む例示的なネスト化されたＰＤＣＰ  ＰＤＵ６００を示す。ネスト化されたＰＤＣＰ  ＰＤＵ６００は、ネスト化されたＰＤＣＰ  ＰＤＵ６００に対するヘッダ６１５として機能する第１のオクテット（ＯＣＴ１）６０５を含む。ネスト化されたＰＤＣＰ  ＰＤＵ６００はまた、ＲｏＨＣフィードバックＰＤＵ６２０を含む第２のオクテット（ＯＣＴ２）６０７および第３のオクテット（ＯＣＴ３）６０９（ならびに必要に応じて後続のオクテット）も含む。ＲｏＨＣフィードバックＰＤＵ６２０は、図４に示されるＰＤＣＰ  ＰＤＵ４００などの完全なＰＤＣＰ  ＰＤＵである。
【００５２】
ネスト化されたＰＤＣＰ  ＰＤＵ５００およびネスト化されたＰＤＣＰ  ＰＤＵ６００などのネスト化されたＰＤＣＰ  ＰＤＵは、ＰＤＣＰ−ｉｎ−ＰＤＣＰ処理を可能にし、第１のデバイス内の送信側ＰＤＣＰエンティティは、ダブルヘッダＰＤＵ（２つのヘッダを有するＰＤＵ）を生成する。第１のヘッダは、ネスト化されたＰＤＣＰ  ＰＤＵが集約されて単一のＤＲＢを介して送信される際に、ネスト化されたＰＤＣＰ  ＰＤＵ内に含まれるＰＤＣＰ  ＰＤＵに関連付けられたＲＤを識別するために使用されてもよく、そのネスト化されたＰＤＣＰ  ＰＤＵ５００が実際にネスト化されたＰＤＣＰ  ＰＤＵである。第２のヘッダは、ＰＤＣＰ  ＰＤＵ自体を識別するために使用される。
【００５３】
図７は、ダウンリンクにおいて発生する例示的な処理７００のフロー図を示す。ＰＤＣＰ  ＰＤＵが中継ＵＥに到着する（イベント７０５）。ＰＤＣＰ  ＰＤＵは、例えば、ＵＭＴＳ地上波無線アクセスネットワーク（ＵＴＲＡＮ）と中継ＵＥとの間のユニバーサルモバイルテレコミュニケーションシステム（ＵＭＴＳ）エアインタフェース（または単にＵｕインタフェース）を介してＤＲＢを介して到着する。ＰＤＣＰ  ＰＤＵは、ＰＨＹ層７１０、ＭＡＣ層７１２、ＲＬＣ層７１４、およびＰＤＣＰ層７１６内のエンティティによって処理される。
【００５４】
ＰＤＣＰ層７１６における処理は、ＰＤＣＰ  ＰＤＵがネスト化されたＰＤＣＰ  ＰＤＵであるか否かを判定することを含み得る。ＰＤＣＰ  ＰＤＵがネスト化されたＰＤＣＰパケットであるか否かの判断は、ＰＤＣＰ  ＰＤＵのヘッダ内のＰＤＵタイプフィールドを調べることによって実行され得る。ＰＤＣＰ  ＰＤＵがネスト化されたＰＤＣＰ  ＰＤＵではない場合、ＰＤＣＰ  ＰＤＵは通常通りに中継ＵＥの上位層に配信される（イベント７２５）。ＰＤＣＰ  ＰＤＵがネスト化されたＰＤＣＰ  ＰＤＵである場合（ＰＤＵタイプフィールドが、例えば、第１の値「０１０」または第２の値「０１１」のいずれかに設定されている場合）、ＰＤＣＰ層７１６のエンティティは第１のヘッダをＰＤＣＰ  ＰＤＵから取り除き、ＲＤ識別子フィールドで示されるようにＲＤ  ＩＤ  Ｙ  ７３０に関連付けられた短距離リンクなどの短距離リンクを介して、修正されたＰＤＣＰ  ＰＤＵを受信者ＲＤに送信し得る。あるいは、ＰＤＣＰ層７１６のエンティティは、第１のヘッダを取り除かずにＰＤＣＰ  ＰＤＵを送信し、第２のヘッダを正しく処理することを受信者に依存し得る。
【００５５】
ＲＤにおける処理は、ＰＤＵタイプフィールド内の値に基づいて制御プレーン（Ｃプレーン）またはユーザプレーン（Ｕプレーン）通信を区別し（イベント７３５）、修正されたＰＤＣＰ  ＰＤＵを、例えば、ＵプレーンからＲＤ  Ｙ  ７４５またはＣプレーンからＲＤ  Ｘ  ７４０へなど、ＲＤ−ＵＥリンクのそれぞれのプレーン（ＰＤＵタイプフィールドの値が第１の値に設定されている場合はＵプレーン、あるいはＰＤＵタイプフィールドの値が第２の値に設定されている場合はＣプレーンのいずれか）で転送し得る。
【００５６】
図７に示すダウンリンク通信は、ＲＤデータを搬送するためのｅＮＢと中継ＵＥとの間の単一のＤＲＢに対するものである。ｅＮＢと中継ＵＥとの間にＤＲＢが複数のある状況が存在する。例えば、サービス品質（ＱｏＳ）の差別化を実施するために複数のＤＲＢが存在してもよい。ＤＲＢが複数ある状況では、同じ処理が各ＤＲＢに対して個別に発生する。
【００５７】
図８は、アップリンクにおいて発生する例示的な処理８００のフロー図を示す。１つまたは複数のＰＤＣＰ  ＰＤＵは、例えば、ＲＤ  Ｘ  ８０５のＣプレーンまたはＲＤ  Ｙ  ８１０のＵプレーンなど、さまざまなＲＤ−ＵＥリンクのＣプレーンまたはＵプレーンを介して到着する。ＲＤにおける処理は、個別のＲＤベースでＣプレーンおよびＵプレーンのＰＤＣＰ  ＰＤＵをマージし得る（イベント８１５）。ＰＤＣＰ  ＰＤＵ（ＣプレーンおよびＵプレーンの両方のＰＤＣＰ  ＰＤＵ）は、ＲＤ  Ｘ  ８２０に対する短距離リンクなど、それぞれのＲＤに関連付けられた短距離リンクを介して中継ＵＥにおいて受信される。
【００５８】
ＰＤＣＰ  ＰＤＵは、ＰＨＹ層８２５、ＭＡＣ層８２７、ＲＬＣ層８２９、およびＰＤＣＰ層８３１内のエンティティによって処理される。ＰＤＣＰ層８３１内のエンティティは、他のタイプのＰＤＣＰ  ＰＤＵ（ＰＤＵタイプフィールドを有するＰＤＣＰパケットは、例えば、第１の値、「０１０」、または第２の値、「０１１」、以外の値に、設定される）も中継ＵＥの下位層から受信し処理し得る（イベント８４０）。ＰＤＣＰ層８３１内のエンティティは、ＲＤからのＰＤＣＰ  ＰＤＵを、対応するネスト化されたＰＤＣＰ  ＰＤＵに含まれる各ＰＤＣＰ  ＰＤＵのソースＲＤに対応するように調整されたネスト化されたＰＤＣＰ  ＰＤＵのヘッダを用いて、ネスト化されたＰＤＣＰ  ＰＤＵに配置する。ネスト化されたＰＤＣＰ  ＰＤＵは集約され、ＤＲＢを介してｅＮＢに送信される（イベント８４５）。同じＤＲＢのプロトコルエンティティに関連付けられているがＲＤから受信されていない任意のＰＤＣＰ  ＰＤＵもｅＮＢに送信される。
【００５９】
図９は、ＲＤとのダウンリンク通信に関与するｅＮＢにおいて発生する例示的な動作９００のフロー図を示す。動作９００は、ｅＮＢがＲＤとのダウンリンク通信に関与する際にｅＮＢにおいて発生する動作を示し得る。ｅＮＢは、送信デバイスとして動作している。
【００６０】
動作９００は、ｅＮＢがＲＤに関するデータを受信することから開始する（ブロック９０５）。ｅＮＢは、データからＰＤＣＰ  ＰＤＵを生成する（ブロック９１０）。ＰＤＣＰ  ＰＤＵは、それぞれのＲＤを中継している中継ＵＥに関連付けられているｅＮＢでＰＤＣＰエンティティに配信される（ブロック９１５）。ＰＤＣＰエンティティは、ＰＤＣＰ  ＰＤＵからネスト化されたＰＤＣＰ  ＰＤＵを生成する（ブロック９２０）。ネスト化されたＰＤＣＰ  ＰＤＵのヘッダは、ネスト化されたＰＤＣＰ  ＰＤＵのＲＤ受信者のＲＤ識別子を含む。ｅＮＢは、ネスト化されたＰＤＣＰ  ＰＤＵをそれぞれの中継ＵＥに送信する（ブロック９２５）。ネスト化されたＰＤＣＰ  ＰＤＵの送信は、各ｅＮＢ−中継ＵＥペアが単一のＤＲＢによってサービスを提供されるようにネスト化されたＰＤＣＰ  ＰＤＵを集約することを含む。
【００６１】
図１０は、ＲＤとのダウンリンク通信に関与する中継ＵＥにおいて発生する例示的な動作１０００のフロー図を示す。動作１０００は、中継ＵＥがＲＤとのダウンリンク通信に関与する際に中継ＵＥにおいて発生する動作を示し得る。中継ＵＥは、受信デバイスとして動作している。
【００６２】
動作１０００は、中継ＵＥがネスト化されたＰＤＣＰ  ＰＤＵを受信することから開始する（ブロック１００５）。中継ＵＥは、ネスト化された各ＰＤＣＰ  ＰＤＵに関連付けられたＲＤを識別する（ブロック１０１０）。中継ＵＥは、ネスト化されたＰＤＣＰ  ＰＤＵからＰＤＣＰ  ＰＤＵを生成する（ブロック１０１５）。一例として、中継ＵＥは、ネスト化されたヘッダをネスト化されたＰＤＣＰ  ＰＤＵから取り除いてＰＤＣＰ  ＰＤＵを生成する。中継ＵＥは、ＰＤＣＰ  ＰＤＵをそれぞれのＲＤに送信する（ブロック１０２０）。ＰＤＣＰ  ＰＤＵは、短距離リンクを介してそれぞれのＲＤに送信される。代替として、中継ＵＥは、ネスト化されたＰＤＣＰ  ＰＤＵからＰＤＣＰ  ＰＤＵを生成せずに、ネスト化されたＰＤＣＰ  ＰＤＵを修正なしにそれぞれのＲＤに送信しない。
【００６３】
図１１は、ＲＤとのアップリンク通信に関与する中継ＵＥにおいて発生する例示的な動作１１００のフロー図を示す。動作１１００は、中継ＵＥがＲＤとのアップリンク通信に関与する際に中継ＵＥにおいて発生する動作を示し得る。中継ＵＥは、送信デバイスとして動作している。
【００６４】
動作１１００は、中継ＵＥがＲＤからＰＤＣＰ  ＰＤＵを受信することから開始する（ブロック１１０５）。ＰＤＣＰ  ＰＤＵは、短距離リンクを解して受信される。中継ＵＥは、中継ＵＥにサービスを提供するｅＮＢに関連付けられたＰＤＣＰエンティティにＰＤＣＰ  ＰＤＵを配信する（ブロック１１１０）。中継ＵＥのＰＤＣＰエンティティは、ＰＤＣＰ  ＰＤＵからネスト化されたＰＤＣＰ  ＰＤＵを生成する（ブロック１１１５）。ネスト化されたＰＤＣＰ  ＰＤＵのヘッダは、ＰＤＣＰ  ＰＤＵに関連付けられたＲＤの識別子を含む。中継ＵＥは、ネスト化されたＰＤＣＰ  ＰＤＵをｅＮＢに送信する（ブロック１１２０）。ネスト化されたＰＤＣＰ  ＰＤＵの送信は、中継ＵＥ−ｅＮＢペアが単一のＤＲＢによってサービスが提供されるようにネスト化されたＰＤＣＰ  ＰＤＵを集約することを含む。
【００６５】
図１２は、ＲＤとのアップリンク通信に関与するｅＮＢにおいて発生する例示的な動作１２００のフロー図を示す。動作１２００は、ｅＮＢがＲＤとのアップリンク通信に関与する際にｅＮＢにおいて発生する動作を示し得る。ｅＮＢは、受信デバイスとして動作している。
【００６６】
動作１２００は、ネスト化されたＰＤＣＰ  ＰＤＵを受信するｅＮＢから開始する（ブロック１２０５）。ｅＮＢは、ネスト化された各ＰＤＣＰ  ＰＤＵに関連付けられたＲＤを識別する（ブロック１２１０）。ｅＮＢは、ネスト化されたＰＤＣＰ  ＰＤＵからＰＤＣＰ  ＰＤＵを生成する（ブロック１２１５）。一例として、ｅＮＢは、ネスト化されたドヘッダをネスト化されたＰＤＣＰ  ＰＤＵから取り除き、ＰＤＣＰ  ＰＤＵを生成する。ｅＮＢは、ＰＤＣＰ  ＰＤＵをそれぞれの受信者に送信する（ブロック１２２０）。あるいは、ｅＮＢは、ネスト化されたＰＤＣＰ  ＰＤＵからＰＤＣＰ  ＰＤＵを生成せずに、ネスト化されたＰＤＣＰ  ＰＤＵを修正なしにそれぞれの受信者に送信しない。
【００６７】
図１３は、デバイスがＲＤとのダウンリンク通信を実行する際に、デバイス間で交換されるメッセージと、デバイスによって実行される動作とを強調するメッセージフロー図１３００を示す。メッセージフロー図１３００は、Ｓ−ＧＷ１３０５、ｅＮＢ１３０７、中継ＵＥ１３０９、およびＲＤ１３１１により交換されるメッセージと、実行される動作とを表示する。
【００６８】
ｅＮＢ１３０７は、ＲＤ１３１１向けのデータを受信する（イベント１３１５）。データは、ＲＤ１３１１に関連付けられているＰＤＣＰエンティティに配信される（イベント１３１７）。ｅＮＢ１３０７は、データから１つまたは複数のＰＤＣＰ  ＰＤＵを生成する（イベント１３１９）。ＰＤＣＰ  ＰＤＵは、前述のようにフォーマット１３２１に準拠する。ｅＮＢ１３０７は、ＰＤＣＰ  ＰＤＵを中継ＵＥ１３０９に関連付けられたＰＤＣＰエンティティに配信する（イベント１３２３）。ｅＮＢ１３０７は、ＰＤＣＰ  ＰＤＵからネスト化されたＰＤＣＰ  ＰＤＵを生成する（イベント１３２５）。各ＰＤＣＰ  ＰＤＵは、結果としてネスト化されたＰＤＣＰ  ＰＤＵになる。ネスト化されたPDCP  PDUはフォーマット１３２７にしたがう。例示的な例として、ｅＮＢ１６０７がＩＤ  Ｘ（ここで、Ｘは中継ＵＥ１３０９に対するＤＲＢ内でＲＤ  １３１１を一意に識別する４ビットの識別子である）を有するＲＤ１３１１に対してネスト化されたＰＤＣＰ  ＰＤＵを生成している状況では、ｅＮＢ１３０７は、ＲＤ１３１１に関連付けられたＰＤＣＰエンティティを使用してＰＤＣＰ  ＰＤＵを処理し得る。ｅＮＢ１３０７は、例えば、ユーザデータに対してオクテット「１０１０＋Ｘ（ここで、「１０１０」はＤ／Ｃビットの「１」およびＰＤＵタイプフィールドの「０１０」を含む）、シグナリングに対して「１０１１」＋Ｘ（ここで、「１０１１」はＤ／Ｃビットの「１」およびＰＤＵタイプフィールドの「０１１」を含む）を追加し得る。ｅＮＢ１３０７は、送信のためにネスト化されたＰＤＣＰ  ＰＤＵを下位層に送信し得る。ネスト化されたＰＤＣＰ  ＰＤＵが複数ある状況では、ネスト化されたＰＤＣＰ  ＰＤＵは、それらが単一のＤＲＢで中継ＵＥ１３０９に送信されることができるように集約される（イベント１３２９）。
【００６９】
中継ＵＥ１３０９は、各ネスト化されたＰＤＣＰ  ＰＤＵに関連付けられたＲＤを識別する（イベント１３３１）。中継ＵＥ１３０９は、ネスト化されたＰＤＣＰ  ＰＤＵに含まれる各ＰＤＣＰ  ＰＤＵのＰＤＵタイプを識別する（イベント１３３３）。ＰＤＣＰ  ＰＤＵのＰＤＵタイプは、ＰＤＣＰ  ＰＤＵ内のＰＤＵタイプフィールドに示される。実装に応じて、中継ＵＥ１３０９は、ネスト化されたＰＤＣＰ  ＰＤＵの外側ヘッダ（ネスト化されたＰＤＣＰ  ＰＤＵのヘッダ）を取り除く（イベント１３３５）。中継ＵＥ１３０９がネスト化されたＰＤＣＰ  ＰＤＵの先頭オクテットを除去することによってネスト化されたＰＤＣＰ  ＰＤＵの外側ヘッダを除去する状況では、結果として得られるＰＤＣＰ  ＰＤＵはフォーマット１３３７に準拠する。中継ＵＥ１３０９は、ＰＤＣＰ  ＰＤＵ（または例示的な実施形態では、中継ＵＥ１３０９が外側ヘッダを除去しないネスト化されたＰＤＣＰ  ＰＤＵ）をそれぞれのＲＤに対して送信する（イベント１３３９）。ＰＤＣＰ  ＰＤＵ（またはネスト化されたＰＤＣＰ  ＰＤＵ）は、中継ＵＥ１３０９とＲＤ１３１１との間の短距離リンク上で送信される。一例として、ＩＤ  Ｘはまた、ＰＤＣＰ  ＰＤＵをそれぞれのＲＤに対して送信するために、使用されて適切な下位エンティティを識別してもよいが、詳細は短距離リンクで使用される無線アクセス技術に依存する。
【００７０】
アップリンクでは、処理は、中継ＵＥおよびｅＮＢで発生する処理と同様であり、これらの処理はダウンリンク処理と同様であるが、ネスト化されたＰＤＣＰ  ＰＤＵの送信を実行する中継ＵＥとネスト化されたＰＤＣＰ  ＰＤＵを受信するｅＮＢとでは逆になる。中継ＵＥでは、ＩＤ  Ｘを有するＲＤを対象とするＰＤＣＰ  ＰＤＵが到着すると、中継ＵＥは、ＰＤＣＰ  ＰＤＵを中継ＵＥの対応するＤＲＢに関連付けられたＰＤＣＰエンティティに配信する。中継ＵＥは、ユーザデータに対してオクテット「１０１０」＋Ｘ（ここで、「１０１０」はＤ／Ｃビットの「１」およびＰＤＵタイプフィールドの「０１０」を含む）またはシグナリングに対してオクテット「１０１１」＋Ｘ（ここで、「１０１１」はＤ／Ｃビットの「１」およびＰＤＵタイプフィールドの「０１１」を含む）を追加し得る。中継ＵＥは、送信のためにネスト化されたＰＤＣＰ  ＰＤＵを下位層に送信する。ｅＮＢでは、ＩＤ  Ｘを有するＲＤに対するネスト化されたＰＤＣＰ  ＰＤＵが中継ＵＥを有するＤＲＢを介して受信されると、ｅＮＢは、ＲＤのＩＤを判定する。実装に応じて、ｅＮＢは、ネスト化されたＰＤＣＰ  ＰＤＵのヘッダ（すなわち、先頭のオクテット）を削除するかまたは削除しない。ＰＤＣＰ  ＰＤＵは、ＲＤに関連付けられているＰＤＣＰエンティティに配信される。ｅＮＢ（すなわち、ＰＤＣＰエンティティ）は、ＰＤＣＰ  ＰＤＵをＤＲＢの対応するＳ１ベアラに渡す。ＲＤを明確にするために識別子がＳ１ｕ上で使用され得ることに留意されたい。
【００７１】
例示的な実施形態によれば、ＲＤへの、またはＲＤからの制御プレーントラフィックを処理するためのシステムおよび方法が提供される。上記で提示された議論は、主にＲＤへのまたはそこからのユーザプレーントラフィックに焦点を合わせている。ただし、制御プレーントラフィックがＲＤに送受信される状況がある。制御プレーントラフィックの例には、無線リソース制御（ＲＲＣ）トラフィック、非アクセス層（ＮＡＳ）トラフィックなどが含まれる。制御プレーントラフィックは、ｅＮＢで生成されるか、またはｅＮＢによって受信され、ｅＮＢでカプセル化され得る。しかしながら、ｅＮＢは、制御プレーントラフィックを、ｅＮＢと中継ＵＥとの間のＳＲＢではなく、ＤＲＢで中継ＵＥに送信する。例示的な例として、第２の値（例えば、「０１１」）に設定されたＰＤＵタイプフィールドを有するネスト化されたＰＤＣＰ  ＰＤＵが使用されて制御プレーントラフィックを中継する。
【００７２】
図１４は、制御プレーントラフィックを中継するために使用される例示的なネスト化されたＰＤＣＰ  ＰＤＵ１４００を示す。ネスト化されたＰＤＣＰ  ＰＤＵ１４００は、ヘッダとして機能する第１のオクテット（ＯＣＴ１）１４０５を含む。第１のオクテット１４０５は、ネスト化されたＰＤＣＰ  ＰＤＵ１４００が転送用のデータＰＤＵまたは転送用の制御ＰＤＵを含むか否かを示すＤ／Ｃビット１４１５、ＰＤＵタイプを示すＰＤＵタイプフィールド１４２０、およびネスト化されたＰＤＣＰ  ＰＤＵ１４００に含まれるＰＤＣＰ  ＰＤＵと関連付けられたＲＤの識別子（すなわちＲＤ  ＩＤ）を示すＲＤ識別子フィールド１４２５を含む。Ｄ／Ｃビット１４１５は１ビットフィールドとしてもよく、ＰＤＵタイプフィールド１４２０は３ビットフィールドとしてもよく、ＲＤ識別子フィールド１４２５は４ビットのフィールドとしてもよい。ＰＤＵタイプフィールド１４２０は、ネスト化されたＰＤＣＰ  ＰＤＵ１４００が制御プレーントラフィックを中継するために使用されることを示すために、第２の値、例えば「０１１」に設定される。言い換えれば、ネスト化されたＰＤＣＰ  ＰＤＵ１４００はシグナリングメッセージを含む。第２のオクテット（ＯＣＴ２）１４０７、第３のオクテット（ＯＣＴ３）１４０９、および後続のオクテットは、参照により本明細書に組み込まれている３ＧＰＰ  Ｔｅｃｈｎｏｌｏｇｙ  Ｓｔａｎｄａｒｄ  ＴＳ  ３６．３２３のＦｉｇｕｒｅ  ６．２．２．１に規定されているＳＲＢに対するＰＤＣＰ  Ｄａｔａ  ＰＤＵフォーマットに準拠し得る。
【００７３】
ＲＤに対するＲＲＣまたはＮＡＳシグナリングは、ＳＲＢ１またはＳＲＢ２のいずれかで送信され得る。どのＳＲＢがＲＲＣまたはＮＡＳシグナリングを送信するために使用されたかの区別を保存することは、中継ＵＥにとって重要であり得、中継ＵＥは、中継ＵＥとＲＤとの間の短距離リンクの技術的仕様に従って情報を利用し得る。一例として、短距離リンクが複数のＳＲＢを有していない状況であっても、ＳＲＢ情報をＲＤに提供し得る。ＳＲＢ情報はアップリンクにおいても有益であり得る。一例として、たとえ短距離リンクが複数のＳＲＢを有さないとしても、ＲＤは、特定のＳＲＢ上で制御プレーントラフィックを送信するように中継ＵＥに通知するようにＳＲＢ情報を設定するし得る。
【００７４】
図１５は、どのＳＲＢが制御プレーントラフィックを伝達するのに使用されたかの区別を保持しながら、制御プレーントラフィックを中継するのに使用される例示的なネスト化されたＰＤＣＰ  ＰＤＵ１５００を示す図である。ネスト化されたＰＤＣＰ  ＰＤＵ１５００は、ヘッダとして機能する第１オクテット（ＯＣＴ１）１５０５を含み、ネスト化されたＰＤＣＰ  ＰＤＵ１４００の第１オクテット１４０５と同じである。第２オクテット（ＯＣＴ２）１５０７は、制御プレーントラフィックを伝達するためにＳＲＢ１またはＳＲＢ２が使用されたか否かを示すＳＲＢビット１５１５を含む。例示的な例として、ＳＲＢビット１５１５が「０」に設定されている場合はＳＲＢ１が使用されたことになり、またはＳＲＢビット１５１５が「１」に設定されている場合はＳＲＢ２が使用されたことになる。あるいは、第３のオクテット（ＯＣＴ３）１５０９内のビットまたは任意の後続のオクテットがＳＲＢビットとして使用され得る。
【００７５】
図１６は、デバイスがＲＤとのダウンリンクシグナリングを実行すると、デバイス間で交換されるメッセージと、デバイスによって実行される動作とを強調するメッセージフロー図１６００を示す。メッセージフロー図１６００は、ｅＮＢ１６０５、中継ＵＥ１６０７、およびＲＤ１６０９により交換されるメッセージと、実行される動作とを表示する。
【００７６】
ｅＮＢ１６０５は、ＲＤ１６０９に対する制御プレーントラフィック（シグナリング）を生成する（イベント１６１５）。制御プレーントラフィックは、ＲＤ１６０９に関連付けられたＰＤＣＰエンティティに配信される。ｅＮＢ１６０５は、制御プレーントラフィックから１つまたは複数のＰＤＣＰ  ＰＤＵを生成する（イベント１６１７）。ＰＤＣＰ  ＰＤＵはフォーマット１６１９に準拠する。ｅＮＢ１６０５は、ＰＤＣＰ  ＰＤＵを中継ＵＥ１６０７に関連付けられたＰＤＣＰエンティティに配信する（イベント１６２１）。ｅＮＢ１６０５は、ＰＤＣＰ  ＰＤＵからネスト化されたＰＤＣＰ  ＰＤＵを生成する（イベント１６２３）。各ＰＤＣＰ  ＰＤＵは、結果としてネスト化されたＰＤＣＰ  ＰＤＵになる。ネスト化されたＰＤＣＰ  ＰＤＵは、フォーマット１６２５に準拠する。複数のネスト化されたＰＤＣＰ  ＰＤＵがある状況では、ネスト化されたＰＤＣＰ  ＰＤＵは、それらが単一のＤＲＢ上で中継ＵＥ１６０７に送信されることができるように集約される（イベント１６２７）。
【００７７】
中継ＵＥ１６０７は、ネスト化された各ＰＤＣＰ  ＰＤＵに関連付けられたＲＤを識別する（イベント１６２９）。中継ＵＥ１６０７は、ネスト化されたＰＤＣＰ  ＰＤＵに含まれる各ＰＤＣＰ  ＰＤＵのＰＤＵタイプを識別する（イベント１６３１）。ＰＤＣＰ  ＰＤＵのＰＤＵタイプは、図１６では転送用のシグナリングＰＤＵとしてであるが、ＰＤＣＰ  ＰＤＵのヘッダ内のＰＤＵタイプフィールド内に示される。実装によっては、中継ＵＥ１６０７は、ネスト化されたＰＤＣＰ  ＰＤＵの外側ヘッダ（ネスト化されたＰＤＣＰ  ＰＤＵのヘッダ）を除去し得る（イベント１６３３）。中継ＵＥ１６０７がネスト化されたＰＤＣＰ  ＰＤＵのそれぞれの先頭オクテットを除去することによってネスト化されたＰＤＣＰ  ＰＤＵの外側ヘッダを除去するときの状況において、結果として得られるＰＤＣＰ  ＰＤＵはフォーマット１６３５に準拠する。中継ＵＥ１６０７は、ＰＤＣＰ  ＰＤＵ（または中継ＵＥ１６０７が外側ヘッダを除去しない例示的な実施形態においてはネスト化されたＰＤＣＰ  ＰＤＵ）をそれぞれのＲＤに送信する（イベント１６３７）。  ＰＤＣＰ  ＰＤＵ（またはネスト化されたＰＤＣＰ  ＰＤＵ）は、中継ＵＥ１６０７とＲＤ１６０９との間の短距離リンク上で送信される。
【００７８】
例示的実施形態によれば、ＲＤに関連付けられた制御プレーントラフィックは、ＤＲＢではなく中継ＵＥのＳＲＢ上で送信される。ＳＲＢで制御プレーントラフィックを送信すると、ＰＤＵタイプフィールドに２つの予約値を使用する必要がなくなる。さらに、ＳＲＢを使用することは、データに対する制御プレーントラフィックのシグナリングの典型的な優先順位付けに対してより互換性があり得る。
【００７９】
図１７は、ＳＲＢ上で制御プレーントラフィックを中継するために使用される例示的なネスト化されたＰＤＣＰ  ＰＤＵ１７００を示す。ネスト化されたＰＤＣＰ  ＰＤＵ１７００は、２つのオクテット、第１のオクテット（ＯＣＴ１）１７０７および第２のオクテット（ＯＣＴ２）１７０９を含む外側ヘッダ１７０５と、２つ以上のオクテット、第３のオクテット（ＯＣＴ３）１７１２および第４のオクテット（ＯＣＴ４）１７１４とならびに必要に応じて後続のオクテットを含むＰＤＣＰ  ＰＤＵ１７１０とを含む。外側ヘッダ１７０５は、ＵＥ（Ｕ）／転送（Ｆ）（Ｕ／Ｆ）ビットフィールド１７１７を含み、このフィールドは、ネスト化されたＰＤＣＰ  ＰＤＵ１７００がＵＥシグナリングに使用されるか（例えば、Ｕ／Ｆビットフィールド１７１７は「０」に設定）または制御プレーントラフィック転送に使用される（例えば、Ｕ／Ｆフィールド１７１７は「１」に設定）かを示すために使用される。外側ヘッダ１７０５はまた、ネスト化されたＰＤＣＰ  ＰＤＵ１７００がＵＥシグナリングに使用されているときのＰＤＣＰシーケンス番号（ＳＮ）１７１９と、ネスト化されたＰＤＣＰ  ＰＤＵ１７００に関連付けられたＲＤのＩＤを含むＲＤ識別子フィールド１７２１とを含む。ＰＤＣＰ  ＰＤＵ１７１０はまた、ＰＤＣＰ  ＰＤＵ１７１０がＵＥ（この場合はＲＤ）シグナリングまたは制御プレーントラフィック転送用のものであるか否かを示すためにＵ／Ｆビットフィールド１７２３も含む。ほとんどの場合、Ｕ／Ｆビットフィールド１７２３は、ＰＤＣＰ  ＰＤＵ１７１０がＵＥシグナリング用であることを示すように設定される。ＰＤＣＰ  ＰＤＵ１７１０はまた、ＲＤに対するＰＤＣＰ  ＳＮ１７２５を含む。
【００８０】
例示的な実施形態によれば、制御プレーントラフィックは、ＳＲＢ１またはＳＲＢ２のいずれかで送信されてもよく、したがって、どのＳＲＢが制御プレーントラフィックを送信するために使用されたかの区別は、２値インジケータを使用して維持される。ｅＮＢと中継ＵＥとの間のトラフィックは所望に応じてＳＲＢ１またはＳＲＢ２のいずれかを使用することができるので、帯域内指示は不要である。しかしながら、ＲＤに対するＳＲＢ情報を保存するために、またはどのＳＲＢを使用するべきかをＲＤが指定可能にするために、前述のものと同様のＳＲＢインジケータが使用される。
【００８１】
図１８は、ＳＲＢ情報を保持しながら、制御プレーントラフィックを中継するのに使用される例示的なネスト化されたＰＤＣＰ  ＰＤＵ１８００を示す図である。ネスト化されたＰＤＣＰ  ＰＤＵ１８００は、２つのオクテット、第１のオクテット（ＯＣＴ１）１８０７と第２のオクテット（ＯＣＴ２）１８０９とを含む外側ヘッダ１８０５、および２つ以上のオクテット、第３のオクテット（ＯＣＴ３）１８１２および第４のオクテット（ＯＣＴ４）とならびに必要に応じて後続のオクテットを含むＰＤＣＰ  ＰＤＵ１８１０を含む。外側ヘッダ１８０５は、ネスト化されたＰＤＣＰ  ＰＤＵ１８００がＵＥシグナリングまたは制御プレーントラフィック転送用に使用されるか否かを示すためにＵ／Ｆビットフィールド１８１７を含む。また、外側ヘッダ１８０５に含まれるのは、ＳＲＢ１またはＳＲＢ２が制御プレーントラフィックを伝達するために使用されたか否かを示すＳＲＢビット１８１９である。例示的な例として、ＳＲＢビット１８１９が「０」に設定されている場合はＳＲＢ１が使用され、またはＳＲＢビット１８１９が「１」に設定されている場合はＳＲＢ２が使用されたことになる。ＰＤＣＰ  ＰＤＵ１８１０はまた、ＰＤＣＰ  ＰＤＵ１８１０がＵＥ（この場合はＲＤ）シグナリングまたは制御プレーントラフィック転送に対するものであるか否かを示すためにＵ／Ｆビットフィールド１８２３を含む。ほとんどの状況では、Ｕ／Ｆビットフィールド１８２３は、ＰＤＣＰ  ＰＤＵ１８１０がＵＥシグナリング用であることを示すように設定される。ＰＤＣＰ  ＰＤＵ１８１０はまた、ＳＲＢ情報を保存または指定するためのＳＲＢビット１８２５を含む。
【００８２】
デバイスがダウンリンクＳＲＢ上でネスト化されたＰＤＣＰ  ＰＤＵを受信するとき、外側ヘッダのＵ／Ｆフィールドがネスト化されたＰＤＣＰ  ＰＤＵが制御プレーントラフィック転送に使用されることを示す場合、外側ヘッダのＳＲＢビットおよびネスト化されたＰＤＣＰ  ＰＤＵに含まれるＰＤＣＰ  ＰＤＵのヘッダのＳＲＢビットは同じ値を持つであろう。デバイスは、２つのＳＲＢビットをチェックすることによりこれを確認し得る、ネスト化されたＰＤＣＰ  ＰＤＵのＳＲＢビットを設定し得る、またはこれが真実であると仮定し得る。ＰＤＣＰ  ＰＤＵがＵＥシグナリングに使用されることを外側ヘッダのＵ／Ｆフィールドが示す場合、かつデバイスが中継ＵＥに接続されていない場合、デバイスはＳＲＢビットを無視し得る。しかし、ＰＤＣＰ  ＰＤＵがＵＥシグナリングに使用されていることを外側ヘッダのＵ／Ｆフィールドが示し、かつデバイスが中継ＵＥに接続されている場合、ＳＲＢビットはネスト化されたＰＤＣＰ  ＰＤＵがＳＲＢ１またはＳＲＢ２上で受信されると見なすか否かを示す。
【００８３】
デバイスがアップリンクＳＲＢ上でネスト化されたＰＤＣＰ  ＰＤＵを送信するとき、そのデバイスがＲＤに対する制御プレーントラフィックを転送している（すなわち、そのデバイスが中継ＵＥである）場合、そのデバイスは外側ヘッダのＳＲＢビットをネスト化されたＰＤＣＰ  ＰＤＵに含まれるＰＤＣＰ  ＰＤＵのヘッダのＳＲＢビットと等しく設定する。デバイスが中継ＵＥに接続されたＲＤである場合、デバイスはどのＳＲＢにＰＤＣＰ  ＰＤＵが送信されるべきかを示すようにＳＲＢビットを設定する。そうでない場合、ＳＲＢビットは予約ビットと見なされ、特定の値、例えば「０」に設定し得る。
【００８４】
図１９は、デバイスがＳＲＢを用いてＲＤとのダウンリンクシグナリングを実行すると、デバイス間で交換されるメッセージと、デバイスによって実行される動作とを強調するメッセージフロー図１９００を示す。メッセージフロー図１９００は、ｅＮＢ１９０５、中継ＵＥ１９０７、およびＲＤ１９０９により交換されるメッセージと、実行される動作とを表示する。
【００８５】
ｅＮＢ１９０５は、ＲＤ１９０９に対する制御プレーントラフィック（シグナリング）を生成する（イベント１９１５）。制御プレーントラフィックは、ＲＤ１９０９に関連付けられたＰＤＣＰエンティティに配信される。ｅＮＢ１９０５は、制御プレーントラフィックから１つまたは複数のＰＤＣＰ  ＰＤＵを生成する（イベント１９１７）。ＰＤＣＰ  ＰＤＵはフォーマット１９１９に準拠する。ｅＮＢ１９０５は、ＰＤＣＰ  ＰＤＵを中継ＵＥ１９０７に関連付けられたＰＤＣＰエンティティに配信する（イベント１９２１）。ｅＮＢ１９０５は、ＰＤＣＰ  ＰＤＵからネスト化されたＰＤＣＰ  ＰＤＵを生成する（イベント１９２３）。各ＰＤＣＰ  ＰＤＵは結果として、ネスト化されたＰＤＣＰ  ＰＤＵになる。ネスト化されたＰＤＣＰ  ＰＤＵはフォーマット１９２５に準拠する。ネスト化されたＰＤＣＰ  ＰＤＵが複数ある状況では、ネスト化されたＰＤＣＰ  ＰＤＵは、それらが単一のＤＲＢ上で中継ＵＥ１９０７に送信されることができるように集約される（イベント１９２７）。
【００８６】
中継ＵＥ１９０７は、ネスト化された各ＰＤＣＰ  ＰＤＵに関連付けられたＲＤを識別する（イベント１９２９）。実装に応じて、中継ＵＥ１９０７は、ネスト化されたＰＤＣＰ  ＰＤＵの外側ヘッダ（ネスト化されたＰＤＣＰ  ＰＤＵのヘッダ）を除去し得る（イベント１９３１）。中継ＵＥ１９０７がネスト化されたＰＤＣＰ  ＰＤＵの先頭オクテットを除去することによってネスト化されたＰＤＣＰ  ＰＤＵの外側ヘッダを除去する状況では、結果として得られるＰＤＣＰ  ＰＤＵはフォーマット１９３３に準拠する。中継ＵＥ１９０７は、ＰＤＣＰ  ＰＤＵ（または中継ＵＥ１９０７が外側ヘッダを除去しない例示的な実施形態ではネスト化されたＰＤＣＰ  ＰＤＵ）をそれぞれのＲＤに送信する（イベント１９３５）。ＰＤＣＰ  ＰＤＵ（またはネスト化されたＰＤＣＰ  ＰＤＵ）は、中継ＵＥ１９０７とＲＤ１９０９との間の短距離リンク上で送信される。
【００８７】
図２０は、本明細書で説明される方法を実行するための実施形態の処理システム２０００であり、ホストデバイスにインストールされ得る処理システム２０００のブロック図を示す。図示されるように、処理システム２０００は、プロセッサ２００４、メモリ２００６、およびインタフェース２０１０から２０１４を含み、これらは図２０に示されるように配置されても（またはされなくても）よい。プロセッサ２００４は、計算および／または他の処理関連タスクを実行するように適合された任意のコンポーネントまたはコンポーネントの集合であってもよく、メモリ２００６は、プロセッサ２００４による実行対象のプログラミングおよび／または命令を格納するように適合された任意のコンポーネントまたはコンポーネントの集合であってもよい。実施形態において、メモリ２００６は、非一過性のコンピュータ可読媒体を含む。インタフェース２０１０、２０１２、２０１４は、処理システム２０００が他のデバイス／コンポーネントおよび／またはユーザと通信することを可能にする任意のコンポーネントまたはコンポーネントの集合であってもよい。例えば、インタフェース２０１０、２０１２、２０１４のうちの１つまたは複数は、プロセッサ２００４からのデータ、制御、または管理メッセージをホストデバイスおよび／またはリモートデバイスにインストールされたアプリケーションに通信するように適合され得る。別の例として、インタフェース２０１０、２０１２、２０１４のうちの１つまたは複数は、ユーザまたはユーザデバイス（例えば、パーソナルコンピュータ（ＰＣ）など）が処理システム２０００とインタラクト／通信することを可能にするように適合され得る。処理システム２０００は、長期記憶装置（例えば、不揮発性メモリなど）などの、図２０には示されていない追加コンポーネントを含んでもよい。
【００８８】
いくつかの実施形態では、処理システム２０００は、電気通信ネットワークにアクセスしている、またはそうでなければその一部であるネットワークデバイスに含まれる。一例では、処理システム２０００は、基地局、中継局、スケジューラ、コントローラ、ゲートウェイ、ルータ、アプリケーションサーバ、アプリケーションサーバ、または電気通信ネットワーク内の他の任意のデバイスなどの無線または有線の電気通信ネットワーク内のネットワーク側デバイスに位置する。他の実施形態では、処理システム２０００は、移動局、ユーザ装置（ＵＥ）、パーソナルコンピュータ（ＰＣ）、タブレット、ウェアラブル通信デバイス（例えば、スマートウォッチなど）、または電気通信ネットワークにアクセスするように適合された他の任意のデバイスなどの無線または有線の電気通信ネットワークにアクセスするユーザ側デバイス内に位置する。
【００８９】
いくつかの実施形態では、インタフェース２０１０、２０１２、２０１４のうちの１つまたは複数は、電気通信システムを介してシグナリングを送受信するように適合されたトランシーバに処理システム２０００を接続する。図２１は、電気通信ネットワークを介してシグナリングを送受信するように適合されたトランシーバ２１００のブロック図を示す。トランシーバ２１００は、ホストデバイスにインストールされ得る。図示されるように、トランシーバ２１００は、ネットワーク側インタフェース２１０２、カプラ２１０４、送信機２１０６、受信機２１０８、信号プロセッサ２１１０、およびデバイス側インタフェース２１１２を備える。ネットワーク側インタフェース２１０２は、無線または有線の電気通信ネットワークを介してシグナリングを送信または受信するように構成された任意のコンポーネントまたはコンポーネントの集合を含み得る。カプラ２１０４は、ネットワーク側インタフェース２１０２を介した双方向通信を容易にするように適合された任意のコンポーネントまたはコンポーネントの集合を含み得る。送信機２１０６は、ベースバンド信号をネットワーク側インタフェース２１０２を介する送信に適する変調搬送波信号に変換するように適合された任意のコンポーネントまたはコンポーネントの集合（たとえば、アップコンバータ、電力増幅器など）を含み得る。受信機２１０８は、ネットワーク側インタフェース２１０２を介して受信された搬送波信号をベースバンド信号に変換するように適合された任意のコンポーネントまたはコンポーネントの集合（たとえば、ダウンコンバータ、低雑音増幅器など）を含み得る。信号プロセッサ２１１０は、ベースバンド信号をデバイス側インタフェース２１１２を介した通信に適したデータ信号に変換するように、またはその逆の変換を行うように適合された任意のコンポーネントまたはコンポーネントの集まりを含み得る。デバイス側インタフェース２１１２は、信号プロセッサ２１１０とホストデバイス（例えば、処理システム２０００、ローカルエリアネットワーク（ＬＡＮ）ポートなど）内のコンポーネントとの間でデータ信号を通信するように適合された任意のコンポーネントまたはコンポーネントの集合を含み得る。
【００９０】
トランシーバ２１００は、任意の種類の通信媒体を介してシグナリングを送受信し得る。いくつかの実施形態では、トランシーバ２１００は無線媒体を介してシグナリングを送受信する。例えば、トランシーバ２１００は、セルラプロトコル（たとえば、ロングタームエボリューション（ＬＴＥ）など）、ワイヤレスローカルエリアネットワーク（ＷＬＡＮ）プロトコル（例えば、Ｗｉ−Ｆｉなど）、または任意の他の種類の無線プロトコル（例えば、Ｂｌｕｅｔｏｏｔｈ、近距離無線通信（ＮＦＣ）など）などの無線電気通信プロトコルに従って通信するように適合された無線トランシーバであり得る。そのような実施形態では、ネットワーク側インタフェース２１０２は、１つまたは複数のアンテナ／放射エレメントを備える。例えば、ネットワーク側インタフェース２１０２は、単一アンテナ、複数の別々のアンテナ、または多層通信用に構成されたマルチアンテナアレイ、例えば、単一入力複数出力（ＳＩＭＯ）、複数入力単一出力（ＭＩＳＯ）、複数入力複数出力（ＭＩＭＯ）などを含み得る。他の実施形態では、トランシーバ２１００は、有線媒体、例えば、ツイストペアケーブル、同軸ケーブル、光ファイバなどを介してシグナリングを送受信する。特定の処理システムおよび／またはトランシーバは、表示されているすべてのコンポーネント、またはコンポーネントのサブセットのみを利用してもよく、統合化のレベルはデバイス毎に異なってもよい。
【００９１】
本明細書で提供される実施形態の方法の１つまたは複数のステップは、対応するユニットまたはモジュールによって実行され得ることを理解されたい。例えば、信号は、送信ユニットまたは送信モジュールによって送信されてもよい。信号は、受信ユニットまたは受信モジュールによって受信されてもよい。信号は、処理ユニットまたは処理モジュールによって処理されてもよい。他のステップは、生成ユニット／モジュール、および／または集約ユニット／モジュールによって実行され得る。それぞれのユニット／モジュールは、ハードウェア、ソフトウェア、またはそれらの組み合わせであり得る。例えば、１つまたは複数のユニット／モジュールは、フィールドプログラマブルゲートアレイ（ＦＰＧＡ）または特定用途向け集積回路（ＡＳＩＣ）などの集積回路としてもよい。
【００９２】
本開示およびその利点を詳細に説明してきたが、添付の特許請求の範囲によって規定される本開示の精神および範囲から逸脱することなく、本明細書では様々な変形、置換、および変更を行うことができることを理解されたい。
【図１】
2019517751.tif 000003
【図２】
2019517751.tif 000004
【図３】
2019517751.tif 000005
【図４】
2019517751.tif 000006
【図５】
2019517751.tif 000007
【図６】
2019517751.tif 000008
【図７】
2019517751.tif 000009
【図８】
2019517751.tif 000010
【図９】
2019517751.tif 000011
【図１０】
2019517751.tif 000012
【図１１】
2019517751.tif 000013
【図１２】
2019517751.tif 000014
【図１３】
2019517751.tif 000015
【図１４】
2019517751.tif 000016
【図１５】
2019517751.tif 000017
【図１６】
2019517751.tif 000018
【図１７】
2019517751.tif 000019
【図１８】
2019517751.tif 000020
【図１９】
2019517751.tif 000021
【図２０】
2019517751.tif 000022
【図２１】
2019517751.tif 000023
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
送信デバイスを動作させるための方法であって、
前記送信デバイスによって、第１の遠隔デバイス（ＲＤ）に関連付けられた第１のパケットデータコンバージェンスプロトコル（ＰＤＣＰ）プロトコルデータユニット（ＰＤＵ）を受信するステップであって、前記第１のＰＤＣＰ  ＰＤＵは少なくとも第１のＰＤＣＰヘッダを含む、ステップと、
前記送信デバイスによって、前記第１のＰＤＣＰ  ＰＤＵに従って第１のネスト化されたＰＤＣＰ  ＰＤＵを生成するステップであって、前記第１のネスト化されたＰＤＣＰ  ＰＤＵは、第２のＰＤＣＰヘッダと前記第１のＰＤＣＰ  ＰＤＵとを含み、前記第２のＰＤＣＰヘッダは、前記第１のネスト化されたＰＤＣＰ  ＰＤＵが第１の中継されたＰＤＣＰ  ＰＤＵと前記第１のＲＤに関連付けられた第１の識別子とを含むことを示す第１のＰＤＵタイプインジケータを含む、ステップと、
前記送信デバイスによって、無線ベアラ上で前記第１のネスト化されたＰＤＣＰ  ＰＤＵを送信するステップと
を含む方法。
【請求項２】
前記無線ベアラはデータ無線ベアラ（ＤＲＢ）である請求項１に記載の方法。
【請求項３】
前記送信デバイスによって、第２のＰＤＣＰ  ＰＤＵを受信するステップであって、前記第２のＰＤＣＰ  ＰＤＵは少なくとも第３のＰＤＣＰヘッダを含む、ステップと、
前記送信デバイスによって、前記第２のＰＤＣＰ  ＰＤＵに従って第２のネスト化されたＰＤＣＰ  ＰＤＵを生成するステップと、
前記送信デバイスによって、前記第２のネスト化されたＰＤＣＰ  ＰＤＵを前記第１のネスト化されたＰＤＣＰ  ＰＤＵと一緒に前記無線ベアラ上で送信するステップと
をさらに含む、請求項１または２に記載の方法。
【請求項４】
前記第２のネスト化されたＰＤＣＰ  ＰＤＵを前記第１のネスト化されたＰＤＣＰ  ＰＤＵと一緒に送信するステップは、
前記送信デバイスによって、前記第１のネスト化されたＰＤＣＰ  ＰＤＵおよび前記第２のＰＤＣＰ  ＰＤＵを集約するステップと、
前記送信デバイスによって、前記集約された第１および第２のネスト化されたＰＤＣＰ  ＰＤＵを前記無線ベアラ上で送信するステップと
を含む、請求項３に記載の方法。
【請求項５】
前記第２のＰＤＣＰ  ＰＤＵは第２のＲＤから受信され、前記第２のネスト化されたＰＤＣＰ  ＰＤＵは、第４のＰＤＣＰヘッダと前記第２のＰＤＣＰ  ＰＤＵとを含み、前記第４のＰＤＣＰヘッダは、前記第２のネスト化されたＰＤＣＰ  ＰＤＵが第２の中継されたＰＤＣＰ  ＰＤＵと前記第２のＲＤに関連付けられた第２の識別子とを含むことを示す第２のＰＤＵタイプインジケータを含む、請求項３に記載の方法。
【請求項６】
前記第１のＲＤと前記第２のＲＤは同一である、請求項５に記載の方法。
【請求項７】
前記第１のＰＤＣＰ  ＰＤＵは制御プレーントラフィックを含み、前記第１のＰＤＣＰヘッダは、前記第１のネスト化されたＰＤＣＰ  ＰＤＵを送信するために使用されるＳＲＢを識別するシグナリング無線ベアラ（ＳＲＢ）インジケータを含む、請求項１ないし６のいずれか一項に記載の方法。
【請求項８】
前記無線ベアラはシグナリング無線ベアラ（ＳＲＢ）であって、前記第１のＰＤＣＰヘッダは、前記第１のＰＤＣＰ  ＰＤＵが制御プレーントラフィックを含むことを示す第１の転送インジケータを含み、前記第２のＰＤＣＰヘッダは、前記第１のネスト化されたＰＤＣＰ  ＰＤＵが中継されたコントロールプレーントラフィックを含むことを示す第２の転送インジケータを含む、請求項１に記載の方法。
【請求項９】
受信デバイスを動作させるための方法であって、
前記受信デバイスによって、無線ベアラ上の第１の遠隔デバイス（ＲＤ）に関連付けられた第１のネスト化されたパケットデータコンバージェンスプロトコル（ＰＤＣＰ）プロトコルデータユニット（ＰＤＵ）を受信するステップであって、前記第１のネスト化されたＰＤＣＰ  ＰＤＵは、第１のＰＤＣＰヘッダと第１のＰＤＣＰ  ＰＤＵとを含み、前記第１のＰＤＣＰヘッダは、前記第１のネスト化されたＰＤＣＰ  ＰＤＵが第１の中継されたＰＤＣＰ  ＰＤＵと前記第１のＲＤに関連付けられた第１の識別子とを含むことを示す第１のＰＤＵタイプインジケータを含む、ステップと、
前記受信デバイスによって、前記第１のＰＤＣＰ  ＰＤＵを前記第１のＰＤＣＰ  ＰＤＵの対象とする受信者に送信するステップと
を含む方法。
【請求項１０】
前記第１のＰＤＣＰ  ＰＤＵを送信するステップは、前記第１のＰＤＣＰヘッダを送信するステップをさらに含む、請求項９に記載の方法。
【請求項１１】
前記受信デバイスによって、前記無線ベアラ上の第２のＲＤに関連する第２のネスト化されたＰＤＣＰ  ＰＤＵを受信するステップであって、前記第２のネスト化されたＰＤＣＰ  ＰＤＵは、第２のＰＤＣＰヘッダと第２のＰＤＣＰ  ＰＤＵとを含み、前記第２のＰＤＣＰヘッダは、前記第２のネスト化されたＰＤＣＰ  ＰＤＵが第２の中継されたＰＤＣＰ  ＰＤＵと前記第２のＲＤに関連付けられた第２の識別子とを含むことを示す第２のＰＤＵタイプインジケータを含み、前記第１のネスト化されたＰＤＣＰ  ＰＤＵおよび前記第２のＰＤＣＰ  ＰＤＵは一緒に集約される、ステップを
さらに含む、請求項９または１０に記載の方法。
【請求項１２】
前記無線ベアラはデータ無線ベアラ（ＤＲＢ）である、請求項９ないし１１のいずれか一項に記載の方法。
【請求項１３】
前記無線ベアラはシグナリング無線ベアラ（ＳＲＢ）であって、前記第１のＰＤＣＰ  ＰＤＵは、前記第１のＰＤＣＰ  ＰＤＵが制御プレーントラフィックを含むことを示す第１の転送インジケータを含み、前記第１のＰＤＣＰヘッダは、前記第１のネスト化されたＰＤＣＰ  ＰＤＵが中継されたコントロールプレーントラフィックを含むことを示す第２の転送インジケータを含む、請求項９ないし１２のいずれか一項に記載の方法。
【請求項１４】
プロセッサと、
前記プロセッサにより実行されるプログラミングを格納するコンピュータ可読記憶媒体と
を備える送信デバイスであって、前記プログラミングは、請求項１ないし８のいずれか一項に記載の方法を実行するように前記送信デバイスを設定する命令を含む、送信デバイス。
【請求項１５】
プロセッサと、
前記プロセッサにより実行されるプログラミングを格納するコンピュータ可読記憶媒体と
を備える受信デバイスであって、前記プログラミングは、請求項９ないし１３のいずれかに記載の方法を実行するように前記受信デバイスを設定する命令を含む、受信デバイス。
【請求項１６】
請求項１ないし８のいずれか一項に記載の方法を実行するように適合されたプログラム。
【請求項１７】
請求項９ないし１３のいずれか一項に記載の方法を実行するように適合されたプログラム。
【請求項１８】
コンピュータにより実行されるとき、前記コンピュータに請求項１ないし８のいずれか一項に記載の方法を実行させる命令を含む、コンピュータ可読記憶媒体。
【請求項１９】
コンピュータにより実行されるとき、前記コンピュータに請求項９ないし１３のいずれか一項に記載の方法を実行させる命令を含む、コンピュータ可読記憶媒体。
【国際調査報告】
2019517751.tif 000024
2019517751.tif 000025